(57)【要約】【解決手段】照明モードを形成するよう構成される複数の可動反射要素２２ａ、２２ｂ、２２ｃと、関連づけられたアクチュエータを有する照明システムが開示される。  一つ以上のアクチュエータは第１、第２、第３位置の間を動き、したがって関連づけられた可動反射要素２２ａ、２２ｂ、２２ｃを第１、第２、第３の向きの間で動かすよう構成される。第１および第２の向きは、可動反射要素２２ａ、２２ｂ、２２ｃから反射された放射が照明モードの一部を形成するような向きである。第３の向きは、可動反射要素から反射された放射が照明モードの一部を形成しないような向きである。【選択図】図３
2013503460.tif 000002
【特許請求の範囲】
【請求項１】
複数の可動反射要素と、関連づけられたアクチュエータとを備え、それらは照明モードを形成するよう構成されうる照明システムであって、
前記アクチュエータのうちの一つ以上のアクチュエータは、第１、第２、第３位置の間を動き、それにより関連づけられた可動反射要素を第１、第２、第３の向きの間で動かすよう構成され、
前記第１および第２の向きは、可動反射要素から反射された放射が照明モードの一部を形成するような向きであり、
前記第３の向きは、可動反射要素から反射された放射が照明モードの一部を形成しないような向きであることを特徴とする照明システム。
【請求項２】
請求項１に記載の照明システムであって、
前記アクチュエータの第３位置は、第１位置と第２位置との間の該アクチュエータの移動経路上に位置することを特徴とする照明システム。
【請求項３】
請求項１または２に記載の照明システムであって、
前記アクチュエータは、電力が該アクチュエータに供給されない状態において第１位置、第２位置、第３位置のいずれかにとどまり得るように構成されることを特徴とする照明システム。
【請求項４】
請求項１から３のいずれかに記載の照明システムであって、前記アクチュエータの第１位置および第２位置はエンドストップによって決定されることを特徴とする照明システム。
【請求項５】
請求項１から４のいずれかに記載の照明システムであって、前記アクチュエータの第３位置は中間ストップによって決定されることを特徴とする照明システム。
【請求項６】
請求項１から５のいずれかに記載の照明システムであって、照明モードの一部を形成しない放射を受けるよう構成されるビームダンプをさらに備えることを特徴とする照明システム。
【請求項７】
請求項１から６のいずれかに記載の照明システムであって、前記アクチュエータの第１位置、第２位置、第３位置は、直線経路上に位置することを特徴とする照明システム。
【請求項８】
請求項１から６のいずれかに記載の照明システムであって、前記アクチュエータの第１位置、第２位置、第３位置は、非直線経路上に位置することを特徴とする照明システム。
【請求項９】
請求項１から８のいずれかに記載の照明システムであって、
前記アクチュエータは、
枢動可能に取り付けられるロッドであって、可動反射要素が取り付けられるロッドと、
前記ロッドの一端に設けられる磁石と、
ヨーク内に設けられる第１磁石および第２磁石と、を備え、
前記第１磁石、前記第２磁石および前記ヨークは、ロッド磁石およびロッドの安定的な第１位置と第２位置と第３位置とを定義する磁場をもたらすよう構成されることを特徴とする照明システム。
【請求項１０】
請求項９に記載の照明システムであって、
前記アクチュエータはさらに、第１磁石と関連づけられた第１コイルと、第２磁石と関連づけられた第２コイルとを備え、
前記第１コイルまたは前記第２コイルには、前記ロッド磁石に作用する力を調整するようにエネルギが与えられうることを特徴とする照明システム。
【請求項１１】
請求項９または１０に記載の照明システムであって、前記第３位置は前記ヨークのポールに対応することを特徴とする照明システム。
【請求項１２】
請求項１から１１のいずれかに記載の照明システムであって、前記アクチュエータは、前記第３位置に向けて弾性的に付勢されていることを特徴とする照明システム。
【請求項１３】
請求項１に記載の照明システムであって、
前記アクチュエータは、第３位置と第４位置との間で変調されるよう構成され、
前記第４位置は、前記可動反射要素から反射された放射が照明モードの一部を形成しないような向きであることを特徴とする照明システム。
【請求項１４】
請求項１から１３のいずれかに記載の照明システムを備えるリソグラフィ装置。
【請求項１５】
請求項１４に記載のリソグラフィ装置であって、
アクチュエータを複数の位置へと動かす出力信号を提供するよう構成されるコントローラと、
イメージセンサと、
前記コントローラの出力信号と、前記イメージセンサの出力との関係を記録するよう構成されるメモリと、
をさらに備えることを特徴とするリソグラフィ装置。
【請求項１６】
複数の可動反射要素で形成される照明モードを調整する方法であって、一つ以上の可動反射要素から反射された放射が照明モードの一部を形成しないように該一つ以上の可動反射要素の向きを変えるステップを備えることを特徴とする照明モード調整方法。
【請求項１７】
請求項１６に記載の照明モード調整方法であって、
アクチュエータは第１位置または第２位置から第３位置へと動き、したがって一つ以上の可動反射要素を第１の向きまたは第２の向きから第３の向きへと動かし、
前記第１の向きおよび第２の向きは、可動反射要素から反射された放射が照明モードの一部を形成するような向きであり、
前記第３の向きは、可動反射要素から反射された放射が照明モードの一部を形成しないような向きであることを特徴とする照明モード調整方法。
【請求項１８】
請求項１７に記載の照明モード調整方法であって、
前記アクチュエータの第３位置は、第１位置と第２位置との間の該アクチュエータの移動経路上にあることを特徴とする照明モード調整方法。
【請求項１９】
請求項１７または１８に記載の照明モード調整方法であって、
前記アクチュエータは、電力が該アクチュエータに供給されない状態において第３位置にとどまることを特徴とする照明モード調整方法。
【請求項２０】
請求項１６から１９のいずれかに記載の照明モード調整方法であって、
照明モードの一部を形成しない反射された放射はビームダンプにむけて導かれることを特徴とする照明モード調整方法。
【請求項２１】
請求項１６から１９のいずれかに記載の照明モード調整方法であって、
前記複数の可動反射要素はリソグラフィ装置の一部を構成し、
照明モードの一部を形成しない反射された放射は、放射を前記リソグラフィ装置のパターニングデバイスにむけて反射しない面へと、導かれることを特徴とする照明モード調整方法。
【請求項２２】
請求項１７から２１のいずれかに記載の照明モード調整方法であって、
前記アクチュエータは、第３位置から第４位置へと変調し、したがって、前記可動反射要素の一つを第３の向きから第４の向きへと動かし、
前記第４位置は、前記可動反射要素から反射された放射が照明モードの一部を形成しないような向きであることを特徴とする照明モード調整方法。
【請求項２３】
請求項１７に記載のアクチュエータのキャリブレーション方法であって、
アクチュエータを第１位置と第２位置との間の複数の位置に動かすステップと、
イメージセンサを用いて、前記可動反射要素により反射された放射を検出するステップと、
アクチュエータに送られる制御信号と、イメージセンサに入射する放射との関係を決定するステップと、
を備えることを特徴とするキャリブレーション方法。
【発明の詳細な説明】
【技術分野】
【０００１】
本発明は照明システム、照明システムを含むリソグラフィ装置、および、照明モードを調整する方法に関する。
【背景技術】
【０００２】
リソグラフィ装置は、所望のパターンを基板のターゲット部分に転写する機械である。リソグラフィ装置は例えば集積回路（ＩＣ）の製造に用いられる。この場合、マスクまたはレチクルとも称されるパターニングデバイスが、集積回路の個々の層に対応する回路パターンを形成するために使用されうる。このパターンが基板（例えばシリコンウエハ）の（例えばひとつまたは複数のダイもしくはダイの一部を含む）ターゲット部分に転写される。パターン転写は典型的には基板に形成された放射感応性材料（レジスト）層への結像による。一般に一枚の基板にはネットワーク状に隣接する一群のターゲット部分が含まれ、これらは連続的にパターン形成される。公知のリソグラフィ装置にはいわゆるステッパとスキャナとがある。ステッパにおいては、ターゲット部分にパターン全体が一度に露光されるようにして各ターゲット部分が照射を受ける。スキャナにおいては、所与の方向（「走査」方向）にビームによりパターンを走査するとともに基板をこの方向に平行または逆平行に同期して走査するようにして各ターゲット部分が照射を受ける。
【０００３】
リソグラフィはＩＣや他のデバイスおよび／または構成の製造における重要なステップのひとつとして広く認知されている。しかしながら、リソグラフィを使用して作成されるフィーチャの寸法が小さくなるにつれて、リソグラフィは小型のＩＣや他のデバイスおよび／または構成を製造可能とするためのよりクリティカルな要素となってきている。
【０００４】
パターン印刷の限界の理論推定値は、解像度に関するレイリー基準によって以下に示される式（１）で与えられる。
【数１】
2013503460.tif 000003
ここでλは使用される放射の波長であり、ＮＡはパターン印刷に使用される投影システムの開口数であり、ｋ１はプロセスに依存する調整係数でありレイリー定数とも呼ばれ、ＣＤは印刷されるフィーチャのフィーチャサイズ（または限界寸法）である。式（１）から以下のことがわかる。３つの方法、すなわち露光波長λを短くすることにより、または開口数ＮＡを大きくすることにより、またはｋ１の値を小さくすることにより、印刷可能なフィーチャサイズの最小値を引き下げることができる。
【０００５】
露光波長を短くしそれによって印刷可能な最小サイズを小さくするために、極端紫外（ＥＵＶ）放射源を使用することが提案されている。ＥＵＶ放射は、５ー２０ナノメートル（ｎｍ）の範囲、例えば１３ー１４ｎｍの範囲の波長を有する電磁波である。さらに波長１０ｎｍ以下、例えば６．７ｎｍや６．８ｎｍなど５ー１０ｎｍの範囲のＥＵＶ放射も使用可能であることが提案されている。そのような放射は極端紫外放射または軟Ｘ線放射と呼ばれる。実現可能なソースは例えばレーザ生成プラズマ源、放電プラズマ源、または電子蓄積リングから供給されるシンクロトロン放射に基づくソースを含む。
【０００６】
ＥＵＶ放射は、プラズマを用いて生成されてもよい。ＥＵＶ放射を生成するための放射システムは、プラズマを供給する燃料を励起するためのレーザ装置と、プラズマを収容するためのソースコレクタモジュールとを含んでもよい。プラズマは例えば、レーザビームを適切な物質（例えばスズ）の粒子または適切な気体や蒸気（例えばＸｅガスやＬｉ蒸気など）の流れ等の燃料に向けることにより生成されてもよい。結果として生じるプラズマは、例えばＥＵＶ放射などの出力放射を放出し、その出力放射は放射コレクタを用いて集められる。放射コレクタは、放射を受けてその放射をビームに集中させる鏡面垂直入射放射コレクタであってもよい。ソースコレクタモジュールは、プラズマを保持するための真空環境を提供するよう構成された囲い込み構造またはチャンバを含んでもよい。そのような放射システムは、典型的にレーザ生成プラズマ（ＬＰＰ）源と呼ばれる。
【０００７】
一般にリソグラフィ装置は照明システムを含む。照明システムは例えばエキシマレーザや極端紫外放射源などのソースから放射を受け、放射ビーム（ときに「投影」ビームと呼ばれる）を提供し、その放射ビームはパターニングデバイスに入射する。放射ビームはパターニングデバイスによってパターン付与され、次に投影システムによって基板上に投影される。
【０００８】
放射ビームを適切な照明モードで提供することによって、基板上に投影されるパターニングデバイスのイメージを改善できることがリソグラフィの分野において知られている。照明モードは、照明システムの瞳面における放射ビームの空間強度分布であり、この空間強度分布は照明システムの軸または光軸に関して中心をもつ。パターニングデバイスの面（照明システムのフィールド面）において、そのような空間強度分布は、放射の角強度分布と呼ばれる入射する放射の入射角の分布に対応する。望ましい照明モードは、例えば瞳面中央に照射部分を有する通常の照明モード、または瞳面に一つ以上の孤立した軸外照射部分を有する軸外照明モードであるかもしれない。したがって、典型的にはリソグラフィ装置の照明システムは強度分布調整装置を含む。この強度分布調整装置は、選択された照明モードが実現するよう照明システム内で放射ビームを方向付け、形成し、制御するよう構成される。
【０００９】
先行技術によると、所望の照明モードを獲得するために照明ビームを制御することができる種々の強度分布調整装置が既述されている。例えば、環状照明モードを生成するためにズームアキシコンデバイス（ズームレンズとアキシコンの組み合わせ）を使用することができる。これにより、瞳面における環状強度分布の内側半径および外側半径が制御可能となる。内側半径と外側半径の大きさは通常、それぞれ、σinnerとσouterで表される。これらの数はそれぞれ、投影システムの開口数に対応する半径に対する内側の半径の比と、投影システムの開口数に対応する半径に対する外側の半径の比を表す。ズームアキシコンデバイスは通常、個々に移動可能な複数の屈折光学素子を備える。したがって、ズームアキシコンデバイスは、ＥＵＶ放射（例えば、約１３．５ｎｍの放射または５から２０ｎｍの間の波長）での使用には適していない。これらの波長の放射は屈折材質を通過する際に大きく吸収されるからである。
【００１０】
照明モードを生成するために空間フィルタが使用されてもよい。例えば、ダイポール照明モードを生成するために、ダイポール照明モードに対応する二つの反対方向の軸外開口を有する空間フィルタが照明システムの瞳面に提供されてもよい。異なる照明モードが望まれる場合、この空間フィルタを除去して異なる空間フィルタで置き換えてもよい。しかしながら、空間フィルタは放射ビームのかなりの割合を遮るので、放射ビームがパターニングデバイスに入射するときの放射ビームの強度は低減される。既知のＥＵＶソースに関しては、リソグラフィ装置の効率的な動作を可能とするために十分な強度でＥＵＶ放射を提供するよう懸命に努力されている。したがって、照明モードを形成する際に放射ビームのかなりの部分を遮るのは望ましくない。
【発明の概要】
【発明が解決しようとする課題】
【００１１】
照明モードを形成し調整することができる照明システムおよび方法を提供することが望まれている。
【課題を解決するための手段】
【００１２】
ある態様によると、照明モードを形成するよう構成されうる複数の可動反射要素と、関連づけられたアクチュエータとを備える照明システムが提供される。一つ以上のアクチュエータは第１、第２、第３位置の間を動き、したがって関連づけられた可動反射要素を第１、第２、第３の向きの間で動かすよう構成される。第１および第２の向きは、可動反射要素から反射された放射が照明モードの一部を形成するような向きであり、第３の向きは、可動反射要素から反射された放射が照明モードの一部を形成しないような向きである。
【００１３】
ある態様によると、照明システムを備えるリソグラフィ装置が提供される。照明システムは、照明モードを形成するよう構成されうる複数の可動反射要素と、関連づけられたアクチュエータとを備える。一つ以上のアクチュエータは第１、第２、第３位置の間を動き、したがって関連づけられた可動反射要素を第１、第２、第３の向きの間で動かすよう構成される。第１および第２の向きは、可動反射要素から反射された放射が照明モードの一部を形成するような向きであり、第３の向きは、可動反射要素から反射された放射が照明モードの一部を形成しないような向きである。
【００１４】
ある態様によると、複数の可動反射要素で形成される照明モードを調整する方法が提供される。この方法は、一つ以上の可動反射要素から反射された放射が照明モードの一部を形成しないように該一つ以上の可動反射要素の向きを変えるステップを備える。
【図面の簡単な説明】
【００１５】
本発明の実施の形態は、例示のみを目的として添付の模式的な図面を参照して説明される。図面では、対応する参照符号は、対応する部分を示す。
【図１】本発明の実施形態にかかるリソグラフィ装置を模式的に示す図である。
【図２】図２ａは、放電生成によるプラズマ源を含む図１のリソグラフィ装置の一部をより詳細に示す模式図である。図２ｂは、レーザ生成によるプラズマ源を含む図１のリソグラフィ装置の一部をより詳細に示す模式図である。
【図３】リソグラフィ装置の照明システムの可動反射要素の動作を示す図である。
【図４】リソグラフィ装置の照明システムの可動反射要素の動作を示す図である。
【図５】図５は図５ａおよび５ｂを含み、リソグラフィ装置の照明システムの可動反射要素の動作およびその結果得られる照明モードを示す図である。
【図６】図６は図６ａおよび６ｂを含み、リソグラフィ装置の照明システムの可動反射要素の動作、およびその結果得られる照明モードを示す図である。
【図７】瞳面の第１象限を示す図である。
【図８】図８は図８ａ、８ｂ、８ｃ、８ｄ、８ｅを含み、照明システムの可動反射要素を用いて形成可能な５つの照明モードを示す図である。
【図９】図９は図９ａ、９ｂを含み、照明モードの調整を示す図である。
【図１０】照明システムの可動反射要素およびアクチュエータを示す図である。
【図１１】照明システムの可動反射要素およびアクチュエータを示す図である。
【図１２】アクチュエータの磁石によって及ぼされる力を示すグラフである。
【図１３】アクチュエータの磁石によって及ぼされる力を示すグラフである。
【図１４】上から見たアクチュエータの一部を示す図である。
【図１５】照明モードの第１象限が図１４のアクチュエータの使用によってどのように調節されうるかを示す図である。
【図１６】変更されたアクチュエータの一部を上から見た図である。
【図１７】照明モードの第１象限が変更された図１６のアクチュエータの使用によってどのように調節されうるかを示す図である。
【図１８】照明モードの第１象限が代替的に変更されたアクチュエータの使用によってどのように調節されうるかを示す図である。
【発明を実施するための形態】
【００１６】
図１は、本発明の一実施形態に係るソースコレクタモジュールＳＯを含むリソグラフィ装置１００を模式的に示す図である。
本装置は、
放射ビームＢ（例えばＥＵＶ放射）を調節するよう構成された照明システム（イルミネータ）ＩＬと、
パターニングデバイス（例えばマスクまたはレチクル）ＭＡを正確に位置決めする第１ポジショナＰＭに接続され、パターニングデバイスＭＡを支持するよう構成されるサポート構造（例えばマスクテーブル）ＭＴと、
基板（例えば、レジストでコーティングされたウエハ）Ｗを正確に位置決めする第２ポジショナＰＷに接続され、基板Ｗを保持するよう構成される基板テーブル（例えばウエハテーブル）ＷＴと、
パターニングデバイスＭＡにより放射ビームＢに付与されたパターンを基板Ｗの（例えば１つまたは複数のダイを含む）ターゲット部分Ｃに投影する投影システム（例えば反射投影系）ＰＳと、を備える。
【００１７】
照明システムは、放射を方向付けるか又は成形するか又は制御するための屈折光学素子、反射光学素子、磁気的光学素子、電磁気的光学素子、静電的光学素子、あるいは他の種類の光学素子などの様々なタイプの光学素子、またはこれらの組合せの光学素子を含み得る。
【００１８】
サポート構造ＭＴは、パターニングデバイスの向き、リソグラフィ装置のデザイン、及び、例えばパターニングデバイスが真空環境で保持されるか否か等その他の条件に応じた方式でパターニングデバイスＭＡを保持する。サポート構造は、機械的固定、真空固定、静電固定、またはパターニングデバイスを保持するその他の固定技術を利用可能である。サポート構造は、例えばフレームまたはテーブルであってもよく、これらは固定されていてもよいし必要に応じて移動可能であってもよい。サポート構造は、パターニングデバイスを例えば投影システムに対して所望の位置に確実に位置決めしうる。
【００１９】
「パターニングデバイス」という用語は、例えば基板のターゲット部分にパターンを生成するために放射ビームの断面にパターンを付与するのに使用されうる任意のデバイスを意味するものと広義に解釈されるべきである。放射ビームに付与されたパターンは、ターゲット部分において生成される集積回路等のデバイスにおける特定の機能層に対応してもよい。
【００２０】
パターニングデバイスは透過型であっても反射型であってもよい。パターニングデバイスの例にはマスク、プログラマブルミラーアレイ、及びプログラマブルＬＣＤパネルが含まれる。マスクはリソグラフィの分野では周知であり、バイナリマスクやレベンソン型位相シフトマスク、ハーフトーン型位相シフトマスク、更に各種のハイブリッドマスクタイプが含まれる。プログラマブルミラーアレイの一例としては、小型のミラーがマトリックス状に配列され、各ミラーが入射してくる放射ビームを異なる方向に反射するように個別に傾斜されるものがある。傾斜されたミラーは、ミラーマトリックスにより反射された放射ビームにパターンを付与する。
【００２１】
投影システムは照明システムと同様に、屈折光学システム、反射光学システム、磁気的光学システム、電磁気的光学システム、静電的光学システム、その他の光学素子などの各種の光学素子、またはこれらの組合せを含み得る。投影システムは使用される露光放射に応じて、あるいは真空の使用等のその他の要因に応じて適切とされる投影システムであってもよい。他の気体は放射を吸収しすぎる可能性があるため、ＥＵＶ放射については真空を使用することが望ましい。したがって、真空壁および真空ポンプを用いてビーム経路の全体に真空環境が提供されてもよい。
【００２２】
図示されるように、本装置は（例えば反射型マスクを使用する）反射型である。
【００２３】
リソグラフィ装置は２つ（デュアルステージ）またはそれ以上の基板テーブル（および／または２つ以上のマスクテーブル）を有するタイプのものであってもよい。このような「マルチステージ」型の装置においては、追加的なテーブルが並行して使用されてもよく、あるいは１以上のテーブルが露光に使用されている間に１以上の他のテーブルで準備工程が実行されてもよい。
【００２４】
図１を参照すると、イルミネータＩＬはソースコレクタモジュールＳＯから極端紫外放射ビームを受け取る。ＥＵＶ光を生成する方法は、例えばキセノン、リチウム、スズ等ＥＵＶ域に一つ以上の輝線をもつ元素を少なくとも一種類含む物質をプラズマ状態に変化させるステップを含むが、必ずしもこれに限られるものではない。そのような方法の一つであり通例レーザ生成プラズマ（ＬＰＰ）と呼ばれる方法においては、必要な輝線を放出する元素を有する物質の液滴、流れ、クラスタなどの燃料をレーザビームで照射することにより、必要なプラズマが生成されうる。ソースコレクタモジュールＳＯは、燃料を励起するためのレーザビームを提供する図１に図示されないレーザ装置を含むＥＵＶ放射システムの一部であってもよい。結果として生じるプラズマは、例えばＥＵＶ放射などの出力放射を放出し、その出力放射はソースコレクタモジュール内に配置される放射コレクタを用いて集められる。例えば、燃料を励起するためのレーザビームを提供するためにＣＯ２レーザが用いられる場合には、レーザ装置とソースコレクタモジュールとは別体であってもよい。
【００２５】
このような場合、レーザ装置はリソグラフィ装置の一部を構成しているとはみなされず、放射ビームはビーム搬送系によりレーザ装置からソースコレクタモジュールへと到達する。このビーム搬送系は例えば適切な誘導ミラーおよび／またはビームエキスパンダを含む。他の場合、例えば光源が通例ＤＰＰ源と呼ばれる放電生成によるプラズマＥＵＶ生成装置である場合には、光源はソースコレクタモジュールと一体に構成されていてもよい。
【００２６】
イルミネータＩＬは放射ビームの角強度分布を調整するアジャスタを備えてもよい。一般には、イルミネータの瞳面における照度分布の少なくとも前述の外側半径範囲および／または内側半径範囲（それぞれ値σouter、σinner）が調整されうる。さらにイルミネータＩＬは、ファセットフィールド（facetted field）ミラーデバイスおよび瞳ミラーデバイスなどの種々の他の要素を備えてもよい。イルミネータは、パターニングデバイスへの入射としてビーム断面における所望の強度均一性及び角強度分布を得るべく放射ビームを調整するために用いられてもよい。
【００２７】
放射ビームＢは、サポート構造（例えばマスクテーブル）ＭＴに保持されているパターニングデバイス（例えばマスク）ＭＡに入射し、そのパターニングデバイスによりパターンが付与される。パターニングデバイス（例えばマスク）ＭＡから反射された後、放射ビームＢは投影システムＰＳを通過する。投影システムＰＳはビームを収束させ基板Ｗのターゲット部分Ｃに投影させる。第２ポジショナＰＷと位置センサＰＳ２（例えば、干渉計、リニアエンコーダ、静電容量センサなど）とにより基板テーブルＷＴは正確に移動される。例えば基板テーブルＷＴは放射ビームＢの経路に異なる複数のターゲット部分Ｃをそれぞれ位置決めするように移動される。同様に、放射ビームＢの経路に対してパターニングデバイス（例えばマスク）ＭＡを正確に位置決めするために、第１ポジショナＰＭと別の位置センサＰＳ１とを用いることができる。パターニングデバイス（例えばマスク）ＭＡおよび基板Ｗは、マスクアラインメントマークＭ１、Ｍ２および基板アラインメントマークＰ１、Ｐ２を用いて位置合わせされてもよい。
【００２８】
図示の装置は以下のモードのうち少なくとも１つで使用することができる。
１．ステップモードにおいては、放射ビームに付与されたパターンの全体が１回の照射で１つのターゲット部分Ｃに投影される間、サポート構造（例えばマスクテーブル）ＭＴ及び基板テーブルＷＴは実質的に静止状態とされる（すなわち１回の静的な露光）。そして、異なるターゲット部分Ｃが露光されるように基板テーブルＷＴがＸ方向及び／またはＹ方向に移動される。
２．スキャンモードにおいては、放射ビームに付与されたパターンがターゲット部分Ｃに投影される間、サポート構造（例えばマスクテーブル）ＭＴ及び基板テーブルＷＴは同期して走査される（すなわち１回の動的な露光）。サポート構造（例えばマスクテーブル）ＭＴに対する基板テーブルＷＴの速度及び方向は、投影システムＰＳの拡大（縮小）特性及び像反転特性により定められてもよい。
３．別のモードにおいては、放射ビームに付与されたパターンがターゲット部分Ｃに投影される間、サポート構造（例えばマスクテーブル）ＭＴはプログラマブルパターニングデバイスを保持して実質的に静止状態とされ、基板テーブルＷＴが移動され、または走査される。
このモードでは一般にパルス放射源が用いられ、プログラマブルパターニングデバイスは必要に応じて、走査中に基板テーブルＷＴが移動するたびに、または走査中の連続する放射パルスと放射パルスの間に更新される。この動作モードは、上述のタイプのプログラマブルミラーアレイなどのプログラマブルパターニングデバイスを使用するマスクレスリソグラフィに容易に適用可能である。
【００２９】
上記の使用モードを組み合わせて適用してもよいし、使用モードに変更を加えて適用してもよく、また全く別の使用モードを適用してもよい。上述の通り、照明システムＩＬは強度分布調整装置を備える。強度分布調整装置は、パターニングデバイスに入射する放射ビームの角強度分布を制御するために、照明システムの瞳面における放射ビームの空間強度分布を調整するよう構成される。強度分布調整装置を使用して、照明システムの瞳面において異なる照明モードを選択することができる。照明モードの選択は、例えばパターニングデバイスＭＡから基板Ｗ上へ投影されるべきパターンの性質に依存しうる。照明システム瞳面における放射ビームの空間強度分布は、放射ビームがパターニングデバイス（例えばマスク）ＭＡに入射する前に、角強度分布に変換される。照明システムの瞳面とパターニングデバイスＭＡ（パターニングデバイスはフィールド面にある）との間にはフーリエ関係が存在することは理解される。照明システムの瞳面はパターニングデバイスＭＡが配置されている対物面のフーリエ変換面であり、それは投影システムの瞳面と共役となっている。
【００３０】
図２ａは装置１００をより詳細に示す図である。装置は、ソースコレクタモジュールＳＯと、照明システムＩＬと、投影システムＰＳとを含む。ソースコレクタモジュールＳＯは、ソースコレクタモジュールＳＯの囲い込み構造２２０内で真空環境が保持されるよう構成、配置される。ＥＵＶ放射放出プラズマ２１０は、放電生成によるプラズマ源により形成されてもよい。ＥＵＶ放射は、例えばＸｅガスやＬｉ蒸気、Ｓｎ蒸気などのガスまたは蒸気により生成されてもよい。これらのガスまたは蒸気内には、電磁スペクトルのＥＵＶ範囲の放射を放出するために非常に熱い放電プラズマ２１０が生成される。非常に高温なプラズマ２１０は例えば放電によって生成される。放電は少なくとも部分的にイオン化されたプラズマをもたらす。放射を効率的に生成するためには、例えばＸｅ、Ｌｉ、Ｓｎ蒸気または他の任意の適切なガスまたは蒸気の例えば１０Ｐａの分圧が必要とされるであろう。ある実施の形態では、励起されたスズ（Ｓｎ）のプラズマがＥＵＶ放射を生成するために供給される。
【００３１】
高温プラズマ２１０によって放出された放射はソースチャンバ２１１から必須でないガスバリアまたは汚染物質トラップ２３０（汚染物質バリアまたはフォイルトラップとも呼ばれる）を通過してコレクタチャンバ２１２へと入る。必須でないガスバリアまたは汚染物質トラップ２３０は、ソースチャンバ２１１の開口内または開口の後に配置される。汚染物質トラップ２３０は、チャネル構造を含んでもよい。汚染物質トラップ２３０はまた、ガスバリアを含んでもよく、ガスバリアとチャネル構造の組み合わせを含んでもよい。ここでさらに示される汚染物質トラップまたは汚染物質バリア２３０は、本技術分野において知られているように、少なくともチャネル構造を含む。
【００３２】
コレクタチャンバ２１１は放射コレクタＣＯを含んでもよい。放射コレクタＣＯは、いわゆる斜入射型コレクタであってもよい。放射コレクタＣＯは上流放射コレクタサイド２５１と、下流放射コレクタサイド２５２とを有する。コレクタＣＯを通過する放射は、仮想ソース点ＩＦに収束されるよう格子スペクトルフィルタ２４０で反射されうる。仮想ソース点ＩＦは、一般的に中間焦点と呼ばれる。ソースコレクタモジュールは、仮想ソース点ＩＦが囲い込み構造２２０の開口２２１またはその付近に位置するよう構成される。仮想ソース点ＩＦは、放射放出プラズマ２１０の像である。
【００３３】
続いて放射は放射システムＩＬを通過する。放射システムＩＬは、以下第１反射素子２２とも呼ばれるファセットフィールドミラーデバイス２２と、以下第２反射素子２４とも呼ばれるファセット瞳ミラーデバイス２４とを含みうる。ファセットフィールドミラーデバイス２２およびファセット瞳ミラーデバイス２４は、パターニングデバイスＭＡにおける放射強度に所望の均一性をもたらすのみならず、パターニングデバイスＭＡにおいて放射ビームＢの所望の角度分布をもたらすよう構成される。第１反射素子２２は照明システムＩＬのフィールド面上にあってもよく、第２反射素子２４は照明システムの瞳面Ｐ上にあってもよい。サポート構造に支持されるパターニングデバイスＭＡにおいて放射Ｂのビームが反射されると、パターンが付与されたビーム２６が形成される。パターンが付与されたビーム２６は、投影システムＰＳにより、反射要素２８、３０を介してウエハステージまたは基板テーブルＷＴに支持される基盤Ｗ上に結像される。
【００３４】
照明光学ユニットＩＬおよび投影システムＰＳには、示されているよりも多くの要素が一般には存在しうる。リソグラフィ装置のタイプにより、必要に応じて格子スペクトルフィルタ２４０が設けられてもよい。さらに、図示されているよりも多くのミラーが設けられてもよい。例えば、図２ａに示されるミラーと別に１ー６個の反射素子が投影システムＰＳに追加で設けられてもよい。
【００３５】
図２ａに示されるコレクタ光学素子ＣＯは、コレクタ（または集光ミラー）の単なる例示として、斜入射型リフレクタ２５３、２５４および２５５がネスト化されたコレクタとして示されている。斜入射型リフレクタ２５３、２５４および２５５は、光軸Ｏの周りに軸対称に配置される。このタイプのコレクタ光学素子ＣＯは、好適には通例ＤＰＰ源と呼ばれる放電生成によるプラズマ源と組み合わせて使用される。
【００３６】
あるいはまた、ソースコレクタモジュールＳＯは図２ｂに示されるようにＬＰＰ放射システムの一部であってもよい。レーザ装置ＬＡは、例えばキセノン（Ｘｅ）、スズ（Ｓｎ）、リチウム（Ｌｉ）等の燃料にレーザエネルギを与え、数十ｅＶの電子温度をもつ高イオン化されたプラズマ２１０を生成するよう構成される。これらのイオンの脱励起および再結合過程において生成される高エネルギ放射がプラズマから放出され、近法線入射コレクタ光学素子ＣＯにより集められ、囲い込み構造２２０の開口２２１にて収束される。
【００３７】
本明細書ではＩＣの製造におけるリソグラフィ装置の使用を具体例として説明しているが、ここで説明されるリソグラフィ装置は他の用途にも適用することが可能であるものと理解されたい。他の用途としては、集積光学システム、磁区メモリ用ガイダンスおよび検出パターン、フラットパネルディスプレイ、液晶ディスプレイ（ＬＣＤ）、薄膜磁気ヘッドの製造などがある。これらの代替的な適用に際して、本明細書において「ウエハ」あるいは「ダイ」という用語が使用される場合はいつでも、それぞれ「基板」あるいは「ターゲット部分」という、より一般的な用語と同義であるとみなされうると、当業者であれば理解するであろう。本明細書で言及される基板は露光前または露光後において例えばトラック（典型的にはレジスト層を基板に塗布し、露光後のレジストを現像するツール）、メトロロジツール、及び／またはインスペクションツールにおいて処理されてもよい。適用可能であれば、本明細書の開示はそのような又は他の基板処理装置にも適用され得る。また、基板は例えば多層ＩＣを製造するために複数回処理されてもよく、その場合には本明細書における基板という用語は、処理されている多数の層を既に含む基板をも意味してもよい。
【００３８】
上では特に光リソグラフィの文脈における本発明の実施の形態の使用を説明しているが、本発明は例えばインプリントリソグラフィなど他の用途にも適用可能であり、文脈が許す限り光リソグラフィに限られるものではないことは理解される。インプリントリソグラフィでは、パターニングデバイスのトポグラフィが基板上に生成されるパターンを決める。パターニングデバイスのトポグラフィを基板に設けられているレジスト層に押しつけ、すぐに電磁放射や熱や圧力やそれらの組み合わせを加えることによりレジストを硬化させてもよい。レジストが硬化した後、レジストにパターンを残したまま、パターニングデバイスがレジストから取り外される。
【００３９】
「レンズ」という用語は文脈が許す限り、屈折光学素子、反射光学素子、磁気光学素子、電磁気光学素子および静電光学素子を含む種々のタイプの光学素子のひとつまたはそれらの組み合わせを指し示してもよい。
【００４０】
本発明の具体的な実施の形態が上述のように説明されたが、本発明は上述の形式以外の形式でも実施可能であると理解されたい。例えば、本発明はコンピュータプログラムの形式を取ってもよい。このコンピュータプログラムは機械により読み取り可能なインストラクションの１つもしくは複数のシーケンスを含む。インストラクションは、上述の方法を記述する。あるいはまた、本発明は、そのようなコンピュータプログラムを記憶保持するデータ記録媒体（例えば半導体メモリ、磁気もしくは光学ディスク）の形式を取ってもよい。上述の記載は例示を目的としており、それに限定されるものではない。したがって、下記の特許請求の範囲から逸脱することなく、記載された発明に変更を加えることができることは、当業者には明らかであろう。
【００４１】
図３は、第１および第２反射素子を含むリソグラフィ装置の部分をより詳細に模式的に示す。第１反射素子２２は、一次反射要素２２ａ、２２ｂ、２２ｃ、２２ｄを含む複数の一次反射要素を備える。第２反射素子２４は、二次反射要素２４ａ、２４ｂ、２４ｃ、２４ｄ、および、２４ａ′、２４ｂ′、２４ｃ′、２４ｄ′を含む複数の二次反射要素を備える。以降、一次反射要素および二次反射要素はそれぞれ、視野ファセット（field facet）ミラーおよび瞳ファセットミラーとも称されうる。一次反射要素２２ａ−ｄは二次反射要素２４ａーｄ、ａ’ーｄ’に向けて放射を導く（反射する）よう構成される。４つの一次反射要素２２ａ−ｄのみが示されているが、任意の数の一次反射要素が設けられてもよい。一次反射要素は、二次元アレイ（または他の二次元配列）に配置されてもよい。８つの二次反射要素２４ａ−ｄ、ａ’−ｄ’のみが示されているが、任意の数（この数は典型的には一次反射要素の数の倍数である）の二次反射要素が設けられてよい。二次反射要素は、二次元アレイ（または他の二次元配列）に配置されてもよい。
【００４２】
一次反射要素２２ａ−ｄの向きは調整可能であり、選択された二次反射要素２４ａ−ｄ、ａ’−ｄ’に向けて放射を導くために用いられうる。
【００４３】
第２反射素子２４は照明システムＩＬの瞳面Ｐと一致する。あるいは第２反射素子２４は、照明システムの瞳面の近傍に配置される。したがって第２反射素子２４は、パターニングデバイスＭＡ上に放射を導く仮想放射源（一般的に二次放射源とも呼ばれる）として作用する。第２反射素子２４とパターニングデバイスＭＡとの間にさらなるミラー（図示せず）が設けられてもよい。後者のミラーは、複数のミラーのシステムであってもよく、使用中はパターニングデバイスＭＡが基板テーブルＭＴで支持される面上に、一次反射要素２２ａ−ｄの像を投影するよう構成されてもよい。
【００４４】
第２反射素子２４における放射ビームＢの空間強度分布が放射ビームの照明モードを決定する。一次反射要素２２ａ−ｄの向きは調整可能であるので、瞳面Ｐに異なる空間強度分布を形成するために使用されてもよく、それによって異なる照明モードが提供されうる。
【００４５】
使用中、放射ビームＢは第１反射素子２２の一次反射要素２２ａ−ｄに入射する。各一次反射要素２２ａ−ｄは、第２反射素子２４の異なる二次反射要素２４ａ−ｄ、ａ’−ｄ’に向けて放射のサブビームを反射する。第１サブビームＢａは、第１一次反射要素２２ａによって第１二次反射要素２４ａに導かれる。第２、第３および第４サブビームＢｂ、Ｂｃ、Ｂｄは、第２、第３および第４一次反射要素２２ｂ、２２ｃ、２２ｄによってそれぞれ第２、第３および第４二次反射要素２４ｂ、２４ｃ、２４ｄに導かれる。
【００４６】
サブビームＢａ−ｄは、二次反射要素２４ａ−ｄによってパターニングデバイスＭＡに向けて反射される。それらのサブビームはまとめて単一の放射ビームＢを形成するものとみなされうる。この単一の放射ビームＢはマスクＭＡの照明領域Ｅを照らす。照明領域Ｅの形状は、一次反射要素２２ａ−ｄの形状により決定される。走査を行うリソグラフィ装置においては、照明領域Ｅは例えば、走査方向の幅が走査方向に垂直な方向の幅よりも狭い矩形あるいは湾曲した帯形状であってもよい。
【００４７】
各一次反射要素２２ａ−ｄは、第２反射素子２４の異なる二次反射要素２４ａ−ｄ、ａ’−ｄ’に、中間焦点ＩＦの像を形成する。実際には、中間焦点ＩＦは有限の直径（例えば４−６ｍｍ）を有するプラズマ源の像となる。その結果、各一次反射要素２２ａ−ｄは、二次反射要素２４ａ−ｄ、ａ’−ｄ’に、（例えば３−５ｍｍの）有限の直径を有する仮想ソース点ＩＦの像を形成する。二次反射要素２４ａ−ｄ、ａ’−ｄ’はそれぞれ、前述の像の直径よりも大きい直径を有する単一の瞳ファセットミラーとして構成されてもよい（放射が二次反射要素間に落ちて失われないようにするためである）。図では説明を容易にするため、中間焦点ＩＦ、および、中間焦点ＩＦの像は点として示されている。
【００４８】
一次反射要素および二次反射要素は零でない光パワー（optical power）を有してもよい。例えば、各一次反射要素２２ａ−ｄは照射を受けている二次反射要素またはその近傍に、仮想ソース点ＩＦよりも小さい仮想ソース点ＩＦの縮小像を形成してもよい。各二次反射要素２４ａ−ｄ、ａ’−ｄ’は、フィールド面またはその近傍に、一次反射要素２２ａ−ｄの一つの像を形成してもよい。フィールド面には、基板の露光中、パターニングデバイスが配置される。これらの像は実質的に重なり、まとまって照明領域Ｅを形成する。
【００４９】
一次反射要素２２ａ−ｄの向きは、瞳面Ｐに形成される照明モードを決定する。例えば一次反射要素２２ａ−ｄは、放射サブビームが４つの最も内側の二次反射要素２４ｃ、ｄ、ａ’、ｂ’に導かれるよう方向付けられてもよい。これにより、通常（ディスク形状）照明モードの１次元等価物とみなされうる照明モードが提供される。そのような通常照明モードは、光軸Ｏに集中する比較的高い照度の部分と、それを取り囲む比較的低い照度または照度ゼロの部分とを有する瞳面における強度分布により特徴づけられる。したがって通常照明モードは以下、通常「軸上」照明とも呼ばれうる。代替的な例では一次反射要素２２ａ−ｄは、放射サブビームが第２反射素子２４の左端の２つの二次反射要素２４ａ−ｂ、および、第２反射素子の右端の２つの二次反射要素２４ｃ’−ｄ’に導かれるよう方向付けられてもよい。これにより、例えば環状照明モードの１次元等価物とみなされうる照明モードが提供される。そのような照明モードは、光軸Ｏに集中する比較的低い照度または照度ゼロの部分と、それを取り囲む領域とを有する強度分布であって、取り囲む領域は少なくとも一つの比較的高い照度の部分をもつような瞳面における強度分布により特徴づけられる。したがってこの照明モードは以降、「軸外」照明とも呼ばれうる。
【００５０】
例えば要素２２ａ−ｄのいずれかのような一次反射要素はそれぞれ、それが２つの所定の向きすなわち第１の向きおよび第２の向きのうちのひとつに向けられうるように構成される。第１の向きは、一次反射要素が放射のサブビームを第２反射素子２４上の第１所望区域に含まれる選択された二次反射要素に向けて反射するような向きである。第２の向きは、一次反射要素が放射のサブビームを第２反射素子２４上の第２所望区域に含まれる選択された二次反射要素に向けて反射するような向きである。さらに、図３に示される視野ファセット２２ａ−ｄのいずれかのような一次反射要素はそれぞれ、関連づけられた第１の向きと第２の向きとの間で動くことができる。さらに本発明のある態様によると、例えば要素２２ａ−ｄのいずれかのような一次反射要素はそれぞれ、以下にさらに説明されるように、第３の向きをとりうるよう構成される。
【００５１】
第１の向きにある視野ファセットミラーは、使用されるとき、事前に選択された特定の二次反射要素であって、複数の二次反射要素のうちから特に選択された二次反射要素を照射する。以下この選択された二次反射要素を第１の「関連づけられた」二次反射要素とよぶ。同様に、視野ファセットミラーが第２の向きにあるときに照射される要素を第２の「関連づけられた」二次反射要素とよぶ。同様に、前述の第１および第２所望区域を以下、第１および第２の「関連づけられた」区域ともよぶ。
【００５２】
図４は、第１反射素子２２の第１一次反射要素２２ａを例として用いて、一次反射要素の第１の向きおよび第２の向きの間での動きを説明する。第１一次反射要素２２ａが第１の向きを向いているとき、その第１一次反射要素２２ａは、第２反射素子２４の第１二次反射要素２４ａに放射サブビームＢａを導く。第１一次反射要素２２ａが第２の向きを向いているとき、その第１一次反射要素２２ａは、第２反射素子２４の第２二次反射要素２４ａ’に放射サブビームＢａ’（点線により示す）を導く。対応する第１および第２区域は、図４に明示されていない。図４において第１および第２区域は、それぞれ第１二次反射要素２４ａおよび第２二次反射要素２４ａ’によって占められる区域に一致するものと仮定されてもよい。しかしながら以下にさらに詳細に議論されるように、第１および第２区域は、瞳面Ｐ上の別個の領域であってもよく、それぞれ複数の二次反射要素を含んでもよい。
【００５３】
要素２２ａ−ｄのグループのような一次反射要素のグループの各一次反射要素は、放射サブビームを各一次反射要素２２ａ−ｄに関連づけられた第１区域および第２区域に導くよう構成されてもよい。第１区域および第２区域は、他の一次反射要素から放射サブビームを受ける区域とは異なる固有の区域である。ここで他の一次反射要素とは、前述の要素２２ａ−ｄのグループのような一次反射要素のグループに属さない要素である。各一次反射要素２２ａ−ｄを適切に構成することにより、所望の照明モードに対応する空間強度分布を生成するように、放射を第２反射素子２４上の要求される区域に導くことができる。
【００５４】
図３および図４は４個の一次反射要素２２ａ−ｄのみを示しているが、第１反射素子２２はより多くの一次反射要素を備えてもよい。第１反射素子２２は例えば１００個以下、２００個以下または４００個以下の一次反射要素を備えてもよい。第１反射素子２２は例えば１００−８００個の範囲の任意の数の一次反射要素を備えてもよい。反射要素はミラーであってもよい。第１反射素子２２は、１０２４（例えば３２×３２）個のミラーからなるアレイまたは４０９６（例えば６４×６４）個のミラーからなるアレイもしくは任意の適切な数のミラーを含んでもよい。一次反射要素は二次元格子形状に配列されてもよい。一次反射要素は、放射ビームを横切る面に配置されてもよい。
【００５５】
第１反射素子２２は一次反射要素のアレイを一つ以上含んでもよい。例えば一次反射要素は、複数のアレイを形成するよう配置され、またはグループ化されてもよい。ここで各アレイは例えば３２×３２個のミラーを有してもよい。本明細書では、「アレイ」という用語は単一のアレイまたはアレイのグループを意味しうる。
【００５６】
二次反射要素２４ａ−ｄ、ａ’−ｄ’は第２反射素子を取り付ける面に対して二次反射要素の向きが固定されるように取り付けられてもよい。
【００５７】
図５および図６は、瞳面Ｐにおける空間強度分布を変更することにより所望の照明モードを得るために、放射を再方向付けする原理を模式的に示す。図５ｂおよび図６ｂの図の平面は、図５ａおよび図６ａに示される瞳面Ｐと一致する。図の説明を容易とするため、図５ｂおよび図６ｂにおいて直交座標系が示されている。示されている直交座標系は、本発明を用いて得られうる空間強度分布の向きに対するいかなる制限の暗示をも意図するものではない。空間強度分布の半径範囲はσinner（内側半径範囲）およびσouter（外側半径範囲）によって定義される。内側および外側半径範囲は円形であってもよく、または他の形状であってもよい。
【００５８】
上述の通り、瞳面Ｐにおける放射ビームの空間強度分布（およびしたがって照明モード）は、例えば要素２２ａ−ｄのような一次反射要素の向きによって決定される。例えば照明モードは、一次反射要素２２ａ−ｄのそれぞれを選択し、選択された一次反射要素２２ａ−ｄを必要とされる通りにその第１の向きまたは第２の向きに動かすことによって与えられ、制御されてもよい。
【００５９】
この例では１６個の一次反射要素が存在し、図５ａおよび図６ａではそのうちの４つのみが示されている（一次反射要素２２ａ−ｄ）。図５ｂに示されるように、一次反射要素２２ａ−ｄがそれぞれ第１の向きを向いているとき、放射のサブビームＢａ、Ｂｂ、Ｂｃ、Ｂｄは関連付けられた第１区域７２４ａ、７２４ｂ、７２４ｃ、７２４ｄに向けて反射される。これらの区域はそれぞれ、図５ａおよび図６ａに示される二次反射要素２４ａ、２４ｂ、２４ｃ、２４ｄを含む。図５ｂを参照すると、第１区域７２４ａ−ｄは図５ｂの上部にあるかまたは上部に近い。他の一次反射要素（図示せず）もまた第１の向きにあり、放射のサブビームを隣接する第１区域のグループ７３、７４、７５に導く。これらの第１区域には図５ｂの上部にあるかまたは上部に近いものがあり、また図５ｂの下部にあるかまたは下部に近いものもある。放射のサブビームを受ける区域は点線を用いて網掛け表示されている。図５ｂから、一次反射要素２２ａ−ｄが第１の向きにあり、他の一次反射要素（図示せず）もまた第１の向きにあるとき、極（ポール）がｙ方向に分離されているダイポール照明モードが形成されることが分かる。
【００６０】
図６ｂに示されるように、一次反射要素２２ａ−ｄが第２の向きを向いているとき、放射のサブビームは関連づけられた第２区域７２４ａ’、７２４ｂ’、７２４ｃ’、７２４ｄ’に向けて反射される。これらの区域はそれぞれ、図５ａおよび図６ａに示される二次反射要素２４ａ’、２４ｂ’、２４ｃ’、２４ｄ’を含む。図６ｂを参照すると、第２区域７２４ａ’−ｄ’は図の右側にあるかまたは右側に近い。前述の他の一次反射要素もまた第２の向きにあり、放射のサブビームを隣接する第２区域のグループ７６、７７、７８に導く。これらの第２区域には図の右端にあるかまたは右端に近いものがあり、また図の左端にあるかまたは左端に近いものもある。放射のサブビームを受ける区域は点線を用いて網掛け表示されている。図６ｂから、一次反射要素２２ａ−ｄおよび他の一次反射要素が第２の向きにあるとき、極（ポール）がｘ方向に分離されているダイポール照明モードが形成されることが分かる。
【００６１】
ｙ方向ダイポール照明モードからｘ方向ダイポール照明モードへの切り替えは、一次反射要素２２ａ−ｄのそれぞれを第１の向きから第２の向きへ動かすステップを含む。同様に、ｘ方向ダイポール照明モードからｙ方向ダイポール照明モードへの切り替えは、一次反射要素２２ａ−ｄのそれぞれを第２の向きから第１の向きへ動かすステップを含む。
【００６２】
以下でさらに説明されるように、他のモードの形成は、一次反射要素２２ａ−ｄのうちの一部を第１の向きへと動かし、一部を第２の向きへと動かすステップを含みうる。各一次反射要素に関連づけられた第１および第２区域、および、各一次反射要素の対応する第１の向きおよび第２の向きは、生成されうる有用な照明モードの数を最大化するように選択されてもよい。
【００６３】
一次反射要素を所定の軸の周りで回転させることによって一次反射要素を第１の向きと第２の向きとの間で動かしてもよい。一つ以上のアクチュエータを使用して一次反射要素を動かしてもよい。
【００６４】
一個以上の一次反射要素が同じ軸の周りに回転するよう駆動されるように、一次反射要素が構成されてもよい。一個以上の他の一次反射要素が、一つ以上の他の軸の周りに回転するよう駆動されてもよい。
【００６５】
ある実施の形態では一次反射要素は、その一次反射要素を第１の向きと第２の向きとの間で動かすよう構成されたアクチュエータを備える。アクチュエータは例えばモータであってもよい。第１および第２の向きはエンドストップによって規定されてもよい。第１エンドストップは、一次反射要素が第１の向きを越えて動くことを防ぐ機械装置を備えてもよい。第２エンドストップは、一次反射要素が第２の向きを越えて動くことを防ぐ機械装置を備えてもよい。
【００６６】
一次反射要素の動きがエンドストップによって制限されるので、一次反射要素の位置を監視する必要はなく（例えば、一つ以上の位置監視センサおよびフィードバックシステムを使用する必要はなく）、一次反射要素を正確に第１の向きまたは第２の向きへ動かすことができる。一次反射要素は十分正確に方向付けされうる。これにより一次反射要素は、パターニングデバイスから基板上へのパターンのリソグラフィ投影において使用されるのに十分な質を有する照明モードを形成しうる。
【００６７】
アクチュエータに供給される駆動信号はバイナリ信号であってもよい。アクチュエータは一次反射要素を第１エンドストップまたは第２エンドストップへ動かしさえすればよいので、可変アナログ電圧や可変デジタル電圧などのより複雑な信号を使用する必要はない。より複雑なシステムよりもむしろアクチュエータに対してバイナリ（２値）駆動信号を使用することにより、そうでない場合よりもシンプルな制御システムを使用することができる。
【００６８】
図５および図６に関連して上述した装置は、１６個の一次反射要素と、第２反射素子２４上の３２個の区域とを備える。実際には、より多くの一次反射要素が設けられてもよい。また一方で、いくつかの異なる照明モードを獲得しうる方法を説明するためには、一次反射要素の個数は１６個で十分である。第２反射素子２４上の３２個の区域のそれぞれに関連づけられた１６個の一次反射要素を用いて、環状、ｃクァッド（c-quad）、クェーサ（quasar）、ダイポールｙおよびダイポールｘの照明モードを得ることができる。これらの照明モードは、放射を照明システムの瞳面における３２個の関連づけられた区域のうち望ましい選択である１６個に適切に導くように１６個の一次反射要素を構成することにより形成される。第２反射素子２４の瞳ファセットミラーの反射面は、瞳面またはその近傍に配置されるため、第２反射素子２４上の区域は、照明システムの瞳面における区域として有効に特定され、指し示されることは理解される。簡単にするため、以下、第２反射素子上の「区域」と照明システムの瞳面における「区域」は区別されない。
【００６９】
図７は、照明システムの瞳面の第１象限Ｑ１を示す図である。第１象限Ｑ１は、瞳面に交差する光軸Ｏの周囲を囲む円環形に配置された多くの区域を含む。照明システムは、５つの異なる所望の照明モードを生成するよう構成される。この象限の区域７２４ａーｄ、７２４ａ′ーｄ′は、各第１反射要素２２ａーｄから、放射のサブビームＢａ、Ｂｂ、Ｂｃ、Ｂｄを受けうる。区域の内側半径範囲はσinnerと呼ばれ、外側半径範囲はσouterと呼ばれる。簡単にするために図７においては、各区域はただ一つの二次反射要素と関連づけられるものと仮定する。図７において区域７２４ａーｄおよび７２４ａ’ーｄ’はそれぞれ、二次反射要素２４ａーｄおよび二次反射要素２４ａ’ーｄ’に関連付けられる。配置は、円環状でなくともよい。
【００７０】
しかしながら代替的に、各区域に複数の二次反射要素が関連付けられてもよいことは理解される。各区域に、例えば１０個から２０個の間の二次反射要素が設けられてもよい。この場合、それにしたがって一次反射要素の数は増減される。例えば、所与の区域に１０個の二次反射要素が存在する場合、その区域へ放射を導くよう構成された１０個の一次反射要素が存在する（各一次反射要素は放射をその区域内の異なる二次反射要素に導くよう構成される）。以下の説明では、「一次反射要素」という用語が使用される場合、この用語は一斉に動くよう構成された複数の一次反射要素を包含してもよい。
【００７１】
瞳面全体にわたる区域の相対表面積、すなわち投影レンズの開口数に対応する瞳面で正規化された構成区域の表面積は、（σouter２−σinner２）／２となる。したがって、使用されている瞳面面積の逆数で定義されるエタンデュ比Ｘは、Ｘ＝２／（σouter２−σinner２）となる。
【００７２】
図７に示される象限Ｑ１には８個の各二次反射装置２４ａ−ｄ、２４ａ’−ｄ’を含む８個の区域が存在する（瞳面全体では３２個の区域に対応する）。一次反射要素によって反射された放射のサブビームによって各区域が照射されるよう各区域のサイズおよび形状が規定される。各一次反射要素は個々に、同じ象限の異なる部分の２つの異なる区域を照らすよう構成される。より具体的には、各一次反射要素は、第１の向きと第２の向きとの間で動くことによって、同じ象限にある第１の関連づけられた区域または第２の関連づけられた区域のいずれかに放射を導くことにより照射し、したがって第１の関連づけられた二次反射要素または第２の関連づけられた二次反射要素のいずれかを照射するよう構成される。
【００７３】
図７においては同じ象限Ｑ１に対となる区域７２４ａ、ａ’、７２４ｂ、ｂ’、７２４ｃ、ｃ’、および７２４ｄ、ｄ’が設けられているが、必ずしもこれに限られない。例えば、第１区域がひとつの象限に設けられ、対応する第２区域は異なる象限に設けられてもよい。区域の対となる第１区域と第２区域との離間距離が大きくなると、放射サブビームをそれらの区域に導くために一次反射要素により要求される回転量もまた増える。区域の位置は、一次反射要素に要求される回転量が減少または最小化されるように、またはどの一次反射要素も最大回転量以上回転することが要求されないように選択されてもよい。区域の位置は、照明モードの所望のセットが得られうるような（例えば、図８に関連してさらに以下に説明されるような）ものであってもよい。
【００７４】
第１一次反射要素２２ａ（図５および図６参照）は、第１の向きを向いている場合に象限Ｑ１の第１の関連づけられた区域７２４ａを照射し、第２の向きを向いている場合にその象限の第２の関連づけられた区域７２４ａ’を照射するよう構成される。第２一次反射要素２２ｂは、第１の向きを向いている場合に第１の関連づけられた区域７２４ｂを照射し、第２の向きを向いている場合に第２の関連づけられた区域７２４ｂ’を照らすよう構成される。第３一次反射要素２２ｃは、第１の向きを向いている場合に第１の関連づけられた区域７２４ｃを照らし、第２の向きを向いている場合に第２の関連づけられた区域７２４ｃ’を照らすよう構成される。第４一次反射要素２２ｄは、第１の向きを向いている場合に第１の関連づけられた区域７２４ｄを照らし、第２の向きを向いている場合に第２の関連づけられた区域７２４ｄ’を照らすよう構成される。
【００７５】
他の象限（図示せず）にも、区域および関連づけられた一次反射要素についての同等な構成が適用されてもよい。
【００７６】
各一次反射要素をある軸の周りで回転させることによってその一次反射要素を第１の向きと第２の向きとの間で動かしてもよい。複数の一次反射要素が同じ軸の周りに回転可能であるよう構成され、配置されてもよい。例えば、瞳面の同じ象限の隣接する区域の対に関連付けられた一次反射要素の対は、同じ軸の周りを回転するよう構成されてもよい。説明された例では、隣接する区域の対である区域７２４ａ、７２４ｂに関連付けられた第１および第２一次反射要素２２ａ、２２ｂは第１軸ＡＡの周りで回転するよう構成され、隣接する区域の対である区域７２４ｃ、７２４ｄに関連付けられた第３および第４一次反射要素２２ｃ、２２ｄは第２軸ＢＢの周りで回転するよう構成される。第１軸ＡＡは象限Ｑ１のｘ軸に対して５６．２５°をなすよう配置され、第２軸ＢＢは象限Ｑ１のｘ軸に対して３３．７５°をなすよう配置される。図７の平面には第１および第２軸ＡＡ、ＢＢが示されているが、これは説明の容易化のみを目的とする。これらの軸は、第１反射素子２２の面上またはその近傍にあり、より具体的には、対となる一次反射要素２２ａ、２２ｂおよび２２ｃ、２２ｄの回転の中心を含む面上またはその近傍にある。
【００７７】
追加的にまたは代替的に、瞳面の対向する象限において対応する区域に関連づけられた一次反射要素が同じ軸の周りで回転するよう構成されてもよい。例えば、第１象限Ｑ１に関連付けられた一次反射要素２２ａ、ｂ、および、第３象限に関連付けられた対応する各一次反射要素は、第１軸ＡＡの周りで回転するよう構成されてもよい。同様に、第１象限Ｑ１に関連付けられた一次反射要素２２ｃ、ｄ、および、第３象限に関連付けられた対応する各一次反射要素が第２軸ＢＢの周りで回転するよう構成されてもよい。
【００７８】
第２象限に関連付けられた一次反射要素および第４象限に関連付けられた一次反射要素は、第３軸（例えば、ｘ軸に対して１２３．７５°をなすよう配置された軸）の周りで回転されてもよい。さらに、第２象限に関連付けられた一次反射要素および第４象限に関連付けられた一次反射要素は、第４軸（例えば、ｘ軸に対して１４６．２５°をなすよう配置された軸）の周りで回転されてもよい。これらの象限は図７に示されていない。
【００７９】
一次反射要素は、同じ軸の周りで同じ向きまたは反対の向きに回転するよう構成されてもよい。
【００８０】
複数の一次反射要素が同じ軸の周りで同じ向きに回転するよう共にグループ化されている場合、一次反射要素を第１の向きと第２の向きとの間で動かすよう構成されたアクチュエータは単純化されうる。例えば、同じ軸の周りで回転するようグループ化された一次反射要素に関連付けられたアクチュエータは、それらの一次反射要素を一斉に動かすよう構成されてもよい。したがって、４つの所定の回転軸が存在する実施の形態においては、４つのアクチュエータが設けられてもよい。
【００８１】
図８は、５つの異なる照明モードが、説明された装置を使用して（すなわち１６個の一次反射要素および４つの回転軸を用いて）、照明システムの瞳面においてどのように形成されうるかを示す。照明モードは以下の通りである。環状照明モード（図８ａ）、ダイポールｘ照明モード（図８ｂ）、ダイポールｙ照明モード（図８ｃ）、クェーサ照明モード（図８ｄ）、および、ｃクァッド照明モード（図８ｅ）。
【００８２】
図８ａに示されるような環状照明モードを生成するために、第１象限に関連付けられた一次反射要素２２ａ−ｄは、区域７２４ｂ、７２４ｄ、７２４ａ’、７２４ｃ’が照らされるよう方向付けられる。これは、第１一次反射要素２２ａを第１軸ＡＡの周りで第２の向きへ回転させ、第２一次反射要素２２ｂを第１軸ＡＡの周りで第１の向きへ回転させ、第３一次反射要素２２ｃを第２軸ＢＢの周りで第２の向きへ回転させ、第４一次反射要素２２ｄを第２軸ＢＢの周りで第１の向きへ回転させることにより達成される。第２、第３および第４象限の区域に関連付けられた一次反射要素も同様に方向付けられる。
【００８３】
図８ｂ（図６ｂも参照）に示されるようなダイポールｘ照明モードを生成するために、第１象限に関連付けられた一次反射要素は、区域７２４ｂ’、７２４ａ’７２４ｄ’、７２４ｃ’が照らされるよう方向付けられる。これは、第１一次反射要素２２ａを第１軸ＡＡの周りで第２の向きへ回転させ、第２一次反射要素２２ｂを第１軸ＡＡの周りで第２の向きへ回転させ、第３一次反射要素２２ｃを第２軸ＢＢの周りで第２の向きへ回転させ、第４一次反射要素２２ｄを第２軸ＢＢの周りで第２の向きへ回転させることにより達成される。第２、第３および第４象限の区域に関連付けられた一次反射要素も同様に方向付けられる。
【００８４】
図８ｃ（図５ｂも参照）に示されるようなダイポールｙ照明モードを生成するために、第１象限に関連付けられた一次反射要素は、区域７２４ａ、７２４ｂ、７２４ｃ、７２４ｄが照らされるよう方向付けられる。これは、第１一次反射要素２２ａを第１軸ＡＡの周りで第１の向きへ回転させ、第２一次反射要素２２ｂを第１軸ＡＡの周りで第１の向きへ回転させ、第３一次反射要素２２ｃを第２軸ＢＢの周りで第１の向きへ回転させ、第４一次反射要素２２ｄを第２軸ＢＢの周りで第１の向きへ回転させることにより達成される。第２、第３および第４象限の区域に関連付けられた一次反射要素も同様に方向付けられる。
【００８５】
図８ｄに示されるようなクェーサ照明モードを生成するために、第１象限に関連付けられた一次反射要素は、区域７２４ｃ、７２４ｄ、７２４ｂ’、７２４ａ’が照らされるよう方向付けられる。これは、第１一次反射要素２２ａを第１軸ＡＡの周りで第２の向きへ回転させ、第２一次反射要素２２ｂを第１軸ＡＡの周りで第２の向きへ回転させ、第３一次反射要素２２ｃを第２軸ＢＢの周りで第１の向きへ回転させ、第４一次反射要素２２ｄを第２軸ＢＢの周りで第１の向きへ回転させることにより達成される。第２、第３および第４象限の区域に関連付けられた一次反射要素も同様に方向付けられる。
【００８６】
図８ｅに示されるようなｃクァッド照明モードを生成するために、第１象限に関連付けられた一次反射要素は、区域７２４ａ、７２４ｂ、７２４ｄ’、７２４ｃ’が照らされるように方向付けられる。これは、第１一次反射要素２２ａを第１軸ＡＡの周りで第１の向きへ回転させ、第２一次反射要素２２ｂを第１軸ＡＡの周りで第１の向きへ回転させ、第３一次反射要素２２ｃを第２軸ＢＢの周りで第２の向きへ回転させ、第４一次反射要素２２ｄを第２軸ＢＢの周りで第２の向きへ回転させることにより達成される。第２、第３および第４象限の区域に関連付けられた一次反射要素も同様に方向付けられる。上記のいかなる例においても、（二次反射素子上の）区域の照明は、放射のサブビームを対応する二次反射要素へと導くステップを含むことは理解される。
【００８７】
図８に示される照明モードの上記の説明において、第２、第３および第４象限の区域に関連付けられた一次反射要素は第１象限と同様に方向付けられることに言及された。以下、これがどのようになされるか説明する。図８から、ダイポール、クェーサおよびｃクァッドモードはｘ軸およびｙ軸について対称であることが分かる。しかしながら図８ａの環状モードは、（９０°またはその倍数の回転について）回転対称であるが、ｘ軸、ｙ軸のいずれについても対称ではない。
【００８８】
本発明のある態様によると、所望の複数の照明モードが一つの対称性を共有しないとき、区域の位置が以下のように構成されることは理解される。すなわち、各区域の対は関連付けられた区域の対を有し、その二つの対は象限を二等分する線ＳＳ（図７参照）について対称となるよう配置される。例えば、区域７２４ａ、ａ’からなる第１対は、区域７２４ｃ、ｃ’からなる第３対に関連付けられる。これら２つの対は線ＳＳについて対称となっている。区域７２４ｂ、ｂ’からなる第２対は、区域７２４ｄ、ｄ’からなる第４対に関連付けられる。これら２つの対もまた線ＳＳについて対称となっている。他の象限に対しても同じ制限が課される。
【００８９】
第２象限は第１象限の鏡像である。第３および第４象限は第１および第２象限の鏡像である。区域をこのように配置することにより、図８に示される全ての照明モードを得ることが可能となる。図８ｂ−ｄに示される照明モードのいずれかが生成されるとき、各象限の対応する一次反射要素の向きは同じである。図８ａの環状モードが生成されるとき、第１および第３象限の一次反射要素の向きは、第２および第４象限の一次反射要素に適用される向きと反対である。
【００９０】
上述の図では少数の一次反射要素のみ示しているが、より一層大きい数の一次反射要素が使用されてもよい。第１反射素子２２は例えば１００個以下、２００個以下、４００個以下、またはそれより多い一次反射要素を備えてもよい。一次反射要素は二次元格子形状に配列されてもよい。一次反射要素は、放射ビームを横切る面に配置されてもよい。各一次反射要素は、所与の区域の小さい部分に向けて放射を導いてもよい。例えば、図７を参照して、第１区域７２４ａは、複数の部分（例えば数十個の部分）にさらに分割されてもよい。各部分は、異なる一次反射要素から放射を受ける。
【００９１】
一次反射要素はミラーであってもよく、その他適切な反射要素であってもよい。
【００９２】
場合によっては、照明モードを調整することが望ましいこともあるであろう。図９ａを参照すると、左側ポール１０１および右側ポール１０２を備えるダイポールｘ照明モードが示されている。σouterが点線で示される値σ′outerに縮小されるよう照明モードを調整することが要求されるかもしれない。これは、本発明の実施の形態によると、ダイポールモード１０１ａ、１０２ａのσouterの外側の部分に放射を導く一次反射要素を回転させることにより、放射が照明モードから外れるよう導くことで実現されうる。その放射は、結果として照明モードの一部を形成しない。例えば、一次反射要素は、照明モードの外側に設けられたビームダンプ（beam-dump）１０３に放射を導くように方向づけられてもよい。ビームダンプ１０３は放射に対して吸収剤となる物質で形成され、ビームダンプ上に入射する放射を吸収する。
【００９３】
図９ｂは、照明モードの調整結果を示す。ダイポールのポール１０１、１０２は、σ′outerの内部に収まっている。以前はσouterの外側の照明モードの一部であった放射は、ここではビームダンプ１０３に導かれ、照明モードの一部を形成しない。
【００９４】
照明モードの一部を形成しないよう放射を導くために一次反射要素が動かされる向きを、第３の向きとよぶ。したがって、所与の一次反射要素は、放射を照明モードの一部を形成する第１区域に導く第１の向きと、放射を照明モードの一部を形成する第２区域に導く第２の向きと、放射を照明モードの一部を形成しないよう（例えば放射が照明モードから外れるよう方向づけることにより）導く第３の向きと、のいずれかの向きをとりうる。
【００９５】
図９においてはただ一つのビームダンプが示されているが、照明モードの外側に数個のビームダンプが設けられてもよい。ビームダンプは照明モードの最大範囲の周囲に広がる位置に設けられてもよい。ビームダンプは任意の適切な形状であってよい。
【００９６】
追加的または代替的な構成においては、不要な放射は一次反射要素により、照明モードが形成される平面の中央に設けられたビームダンプ１０４に導かれてもよい。これは例えば、σinnerが十分大きいゼロでない値であり、瞳の中心にビームダンプ１０４を設けることができる使用されていない領域がある場合になされる。ビームダンプ１０４は放射に対して吸収剤となる物質で形成され、ビームダンプ上に入射する放射を吸収する。図示されているビームダンプ１０４は円形であるが、任意の適切な形状であってよい。
【００９７】
ビームダンプ１０３、１０４はそれぞれ、投影システムＰＬが不要な放射を受けず、不要な放射が基板Ｗ上に送られないように不要な放射をパターニングデバイスＭＡ（図２参照）から外すよう構成されたリフレクタで置き換えられてもよい。このリフレクタは例えば、不要な放射を照明システムＩＬの一つ以上の吸収壁に導いてもよい。
【００９８】
さらなる構成においては、不要な放射は、二次反射要素から反射された放射がパターニングデバイスＭＡ（図２参照）に入射しないように方向づけられた二次反射要素に導かれる。従って、その放射は照明モードの一部を形成しない。放射は投影システムＰＬによって受け取られず、基板Ｗ上に送られない。二次反射要素は例えば、不要な放射を照明システムＩＬの一つ以上の吸収壁に導いてもよい。
【００９９】
所与の二次反射要素は、それに関連づけられた一次反射要素から放射を受けた場合はその放射をパターニングデバイスＭＡに向けて反射するが、異なる一次反射要素から放射を受けた場合はその放射をパターニングデバイスＭＡから外すよう反射するように構成されてもよい。例えば図３および４を参照して、第１サブビームＢａは、第１一次反射要素２２ａによって第１二次反射要素２４ａまたは第２二次反射要素２４ａ′に導かれる。第１および第２二次反射要素は、サブビームＢａをパターニングデバイスＭＡに向けて反射する。もし第１一次反射要素２２ａがサブビームＢａを異なる二次反射要素に向けて導いたとすると、その二次反射要素はサブビームをパターニングデバイスＭＡから外すように反射するであろう。所与の二次反射要素は、特定の一次反射要素から放射を受けた場合のみその放射をパターニングデバイスＭＡに向けて反射してもよい。所与の二次反射要素は、特定の一次反射要素から放射を受けた場合を除き、放射をパターニングデバイスＭＡから外して反射してもよい。これは、二次反射要素の向きの角度の適切な選択により実現されうる。
【０１００】
本明細書において、放射をパターニングデバイスへ向けて反射する旨の言及は、二次反射要素とパターニングデバイスとの間の光コンポーネントの不存在を意味する意図ではない。例えば、放射は二次元反射要素によって、光コンポーネント（例えば追加的な反射要素）を介して反射されてもよい。
【０１０１】
図１０は、本発明の実施の形態に係るミラー１１０用のアクチュエータ１０９を示す図である。ミラー１１０は、図３に示される反射素子２２の前述の複数の一次反射要素の一つである。具体的には、ミラー１１０は一次反射要素２２ａ−ｄの一つであってもよい。アクチュエータは、ミラー１１０を第１の向きと第２の向きとの間で回転させ、また放射が照明モードから外れるよう導かれる第３の向きへとミラーを回転させるために用いられてもよい。
【０１０２】
アクチュエータ１０９は、ミラー１１０が設けられたロッド１１１を備える。ロッド１１１はピボット１１２に回転可能に取り付けられる。図１０の両方向矢印は、ロッド１１１とミラー１１０の回転方向を示す。ロッド１１１は、一つ以上のバネ（図示せず）によって図１０に示される向き（すなわち第３位置）に向けて弾性的に付勢される。
【０１０３】
ロッド１１１の最下端に永久磁石１１３が設置されている。以下、この磁石をロッド磁石１１３とよぶ。一対の永久磁石１１４、１１５がヨーク１１６の中に保持される。以降、永久磁石１１４、１１５を第１固定磁石１１４および第２固定磁石１１５とよぶ。第１コイル１１７が第１固定磁石１１４の下に配置され、第２コイル１１８が第２固定磁石１１５の下に配置される。第１および第２コイル１１７、１１８は、コントローラ１１９に接続される。コントローラ１１９は、第１および第２コイルへの電流供給を制御する。
【０１０４】
ヨーク１１６は、三つのポール１１６ａーｃを有する。ヨークは、鉄、または他の適切な材質（例えば任意の強誘電材料）で形成されてもよい。
【０１０５】
非磁性物質のシート１２０が、第１および第２固定磁石１１４、１１５の上、そしてヨーク１１６のポール１１６ａーｃの上に配置される。シート１２０は筐体の一部を構成する。筐体の内部には固定磁石１１４、１１５、およびヨークが保持される。筐体は、例えば固定磁石やヨークからの放出ガスから生じる汚染物質が、リソグラフィ装置の他の場所へ通過することを防ぐ。シートは、磁石１１３ー１１５およびコイル１１７、１１８によってもたらされる磁場に対して大きな影響は与えない。シート１２０は例えば、ステンレス鋼であってもよい。
【０１０６】
図１０に示されるミラー１１０とアクチュエータ１０９は、複数の一次反射要素および複数のアクチュエータの一つである。ある一次反射要素およびアクチュエータ（図示せず）が、図示されているミラー１１０とアクチュエータ１０９の左に設けられ、別の一次反射要素およびアクチュエータ（図示せず）が、図示される一次反射要素およびアクチュエータの右に設けられることになる。アクチュエータ１０９を、近接するアクチュエータによって生成される磁場から遮蔽するため、磁気遮蔽壁１２１、１２２がアクチュエータ１０９の右側および左側の端に設けられる。
【０１０７】
コイル１１７、１１８に電流が流されていないとき、かつ、ロッド磁石１１３が第１および第２固定磁石１１４、１１５から等距離にあるとき、ロッド磁石に作用する正味の磁力はゼロである。さらにロッドの弾性的バイアスが、ロッドを図１０に示す位置に向けて付勢する。ロッド磁石１１３およびロッド１１１に作用する正味の力はゼロであるため、この位置は（図１０に示すように）ロッド１１１が静止しうる平衡位置である。このロッド１１１の平衡位置は、上述のミラー１１０の第３の向き（すなわち、放射が照明モードから外れるよう導く向き）に対応する。この平衡位置を、以下および図１０において、ロッドの第３位置ＰＲＣとよぶ。簡単のため、以下、ロッド１１１の位置とロッド磁石１１３の位置とを区別しない。
【０１０８】
図１１は、ミラー１１０の第１の向きおよび第２の向きに対応する第１位置ＰＲＡおよび第２位置ＰＲＢにあるロッド１１１を示す。第１コイル１１７がにエネルギが与えられると（すなわち、電流が第１コイルを通るよう流されると）、ロッド磁石１１３を第１固定磁石１１４の方に引き付ける力の方が、ロッド磁石を第２固定磁石１１５の方に引き付ける力よりも大きくなる。よってロッド磁石は、第１固定磁石１１４の方に向かって、その動きがエンドストップ（図示せず）で止められるまで動く。これにより、ロッド１１１が第１位置に動き、ミラー１１０が第１の向きに動く。続いて、第１コイル１１７へのエネルギが断たれてもよい。ロッド磁石１１３は、第２固定磁石１１５よりも第１固定磁石１１４に近いため、ロッド磁石を第１固定磁石の方に引き付ける力の方が、ロッド磁石を第２固定磁石の方に引き付ける力よりも大きい。その結果、ロッド磁石１１３は第１位置にとどまり、ミラー１１０は第１の向きにとどまる。
【０１０９】
ミラー１１０を第２の向きに動かすことが望まれる場合、第２コイル１１８にエネルギが与えられる。第２コイル１１８および第２固定磁石１１５によって作用する力の方が、第１固定磁石１１４により作用する力より大きい。したがって、ロッド磁石１１３は第２コイル１１８に向かって動く。ロッド１１１は、エンドストップ（図示せず）で止められるまで動き続ける。このようにロッド１１１は第２位置へと動き、ミラー１１０は第２の向きへと動く。続いて、第２コイル１１８へのエネルギが断たれてもよい。ロッド磁石１１３は、第１固定磁石１１４よりも第２固定磁石１１５に近いため、ロッド磁石を第２固定磁石の方に引き付ける力の方が、ロッド磁石を第１固定磁石の方に引き付ける力よりも大きい。その結果、ロッド磁石１１３は第２位置にとどまり、ミラー１１０は第２の向きにとどまる。
【０１１０】
ロッド磁石１１３が第１位置にあるとき、第２コイル１１８によって作用する力が、第１固定磁石１１４により作用する力に打ち勝つほど十分大きくない場合もありうる。このような事態が生じる場合、ロッド磁石１１３を第１固定磁石１１４から遠ざけるように動かすために、追加的な力が用いられてもよい。追加的な力は、第１コイル１１７がロッド磁石１１３を押しのける反発力を生成するように、第１コイル１１７に一時的にエネルギを与えることにより生成されてもよい。これは、第１コイル１１７において引力を生成するために用いた電流の向きと反対の向きに第１コイル１１７に電流を流すことにより実現されてもよい。第２コイル１１８も同様に、ロッド磁石１１３の第１位置への動きを促進するために動作させることができる。
【０１１１】
図１２は、図１０および図１１に示す装置のシミュレーション結果を示すグラフである。図１２のグラフは、コイル１１７、１１８に電流が供給されていないときに固定磁石１１４、１１５によって生成される力をＮを単位として、ｍｍを単位とするロッド１１１の位置の関数として示す力曲線（force curve）である。ロッド１１１とロッド磁石１１３の前述の平衡位置は、図１２のｘ＝０ｍｍに位置づけられている。第１、第２、および第３位置ＰＲＡ、ＰＲＢ、ＰＲＣのそれぞれ、及びそれぞれの関連づけられた力は、図１２に三つの円でそれぞれ示されている。図１２から、第１コイル１１７と第２コイル１１８のいずれにもエネルギが与えられていないとき、ロッド磁石１１３は三つの示された位置のいずれかに位置しうることが分かる。第１位置においては、ロッドは第１固定磁石１１４に向かって引き寄せられるが、エンドストップによってそれ以上動くことを妨げられている。第２位置においては、ロッド磁石１１３は第２固定磁石１１５に向かって引き寄せられるが、異なるエンドストップによってそれ以上動くことを妨げられている。
【０１１２】
図１２からわかるように、力曲線の中央に変曲がある。第３位置ＰＲＣは、この変曲点の中心にある。変曲は、第１および第２固定磁石１１４、１１５がロッド磁石１１３を第３位置へと動かすためのスタート位置の範囲を提供する。力曲線が、力がゼロとなる軸と交差する左側の点および右側の点は、この範囲の外側限界である。ロッド磁石１１３がこの範囲内にあるときには、ロッド磁石１１３は第３位置に向かって動く。そして、ロッド磁石１１３に作用する正味の力はゼロであるため、ロッド磁石１１３は第３位置に留まる。
【０１１３】
前述のように、ロッド１１１は一つ以上のバネ（図示せず）によって第３位置ＰＲＣに向けて弾性的に付勢される。これは、実際には、ロッド１１１およびロッド磁石１１３が第３位置へと動くためのスタート位置の範囲が、図１２に示すよりも大きいことを意味する。
【０１１４】
図１３は、第１コイル１１７にエネルギが与えられている（すなわち、電流が第１コイルを通って流れている）こと以外は図１２と同様のシミュレーションを示す。第１コイル１１７へのエネルギ付与は、力曲線を上に持ち上げる効果がある。ロッド磁石１１３のスタート位置の殆どにおいて、第１固定磁石１１４と第１コイル１１７の組み合わせの及ぼす力によってロッド磁石が第１位置に向かって引かれることがわかる。ロッド磁石１１３が第２位置からスタートする場合、第１固定磁石１１４および第１コイル１１７の及ぼす力は、ロッド磁石１１３を第１位置に動かすためには不十分である。しかしながらこの例で、もしロッド１１１に対して一つ以上のバネがおよぼす弾性的な付勢が０．６Ｎ以上であるならば、ロッドに作用する力の合力は、ロッドを第２位置から第１位置へと動かすために十分なほど強くなる。
【０１１５】
第１コイル１１７へのエネルギ供給を断ち、第２コイル１１８にエネルギを与えると、力曲線が下に引き下げられる。第２コイル１１８および第２固定磁石１１５が及ぼす力と、一つ以上のバネがロッド１１１に及ぼす弾性的な付勢とが合成され、ロッドを第１位置から第２位置へと動かすために十分なほど強い力となる。
【０１１６】
ロッド１１１を第２位置（または第１位置）から第３位置へと動かしうるための一つの方法は、以下のとおりである。第２コイル１１８がロッド磁石１１３に反発するように、電流のパルスが第２コイル１１８に供給される。同時に、第１コイル１１７がロッド磁石１１３を引き寄せるように、電流のパルスが第１コイル１１７に供給される。電流のパルスが、ロッド１１１が第２位置を離れるようにロッド１１１の移動を開始させる。いったんロッドがいくらかの速度を得て第２位置から移動すると、電流のパルスは断たれてもよい。慣性により、第２位置から遠ざかるロッドの運動が持続しうる。ロッド１１１は、ロッド１１１が第３位置へと動き始める最も外側のスタート位置（スタート位置については、上で詳細に説明されている）を通り過ぎることになる。ロッド１１１は次に、第３位置へと動く。ロッド１１１が第３位置で静止する前に、ロッドの減衰振動が生じうる。
【０１１７】
第１および第２コイル１１７、１１８に流される電流は、ロッド１１１がエンドストップ（図示せず）に当たる速さを低減するために調整されてもよい。例えば図１３を参照すると、力曲線は、第１位置に到達するときにロッド磁石１１３に作用する力はかなりの大きさであることを示している。したがって、ロッド１１１はエンドストップに当たる際もまだ加速されているかもしれない。しかしながら、第１コイル１１７に流される電流は、ロッド１１１が第１位置に近づくとき、ロッド１１１に負の力がかけられてロッドが減速するように調整されてもよい。これにより、ロッド１１１がエンドストップに当たるときの速さを低減され、ロッド１１１に「より穏やかな着陸」が提供される。ロッド１１１がエンドストップに当たるときの速さを低減することにより、汚染物質の粒子がロッドまたはエンドストップから放出される可能性を低減できる。
【０１１８】
図１４は、上から見たヨーク１１６の三つのポール１１６ａーｃ、および、第１固定磁石１１４と第２固定磁石１１５を示す。ロッド磁石（図示せず）の第１位置ＰＲＡ、第２位置ＰＲＢ、および、第３位置ＰＲＣも示されている。第１、第２、および第３位置ＰＲＡ、ＰＲＢ、ＰＲＣは直線で結ばれていることが分かる。第１、第２、および第３位置ＰＲＡ、ＰＲＢ、ＰＲＣが直線で結ばれているとき、ピボット１１２は、単一の軸のまわりの回転をもたらす簡単なピボットであってよい。第３位置ＰＲＣは、第１位置ＰＲＡと第２位置ＰＲＢの間のアクチュエータの移動経路上にある。
【０１１９】
図１５は、リソグラフィ装置の瞳面の照明モードが形成される部分を示す（図１５は、概ね図７に対応する）。図１５においては、ミラー１１０が二つの区域７２４ａ、７２４ａ′の比較的小さい部分へと放射を導くと仮定する。区域のうちミラー１１０によって導かれる放射が横切る部分が円で示されている。ミラー１１０が第１の向きを向いているとき、放射は第１区域７２４ａの部分ＰＯＡに導かれる。ミラー１１０が第２の向きを向いているとき、放射は第２区域７２４ａ′の部分ＰＯＢに導かれる。ミラー１１０が第３の向きを向いているとき、放射は第１区域７２４ａと第２区域７２４ａ′との間の区域の部分ＰＯＣに導かれる。上で詳細に説明されたように、部分ＰＯＣに設けられる二次反射要素は、放射をパターニングデバイスＭＡから外して導くよう方向づけられてもよい（図２参照）。
【０１２０】
変形例（図示せず）においては、ヨークの真ん中のポールは、ｘ方向（または負のｘ方向）にオフセットされてもよい。この場合、ミラー１１０が第３の向きにあるときに、放射は第１および第２区域７２４ａ、７２４ａの間の区域の部分ではあるが、それらの中間点ではない部分に導かれる。中間位置からのオフセットの度合いはヨークの真ん中のポールのオフセットの度合いに依存する。
【０１２１】
図１６は、上から見た回転可能ディスク１３０を備える本発明の実施の形態の一部を示す。回転可能ディスク１３０には磁石１３１（以下、ディスク磁石１３１とよぶ）が設けられる。回転可能ディスク１３０は、両方向矢印で示されるように、向きＲＤＡから向きＲＤＢまで１８０度回転可能である。１８０度にわたる回転可能ディスク１３０の回転により、ディスク磁石１３１が位置ＤＭＡから位置ＤＭＢまで動かされる。
【０１２２】
図１６と組み合わせて図１０を参照し、第１および第２固定磁石１１４、１１５、第１および第２コイル１１７、１１８、および、ヨーク１１６が、ステンレス鋼シート１２０の下から除かれ、回転可能ディスク１３０
およびディスク磁石１３１で置き換えられてもよい。回転可能ディスクの平らな表面は、ステンレス鋼シート１２０と平行であってもよい。
【０１２３】
ディスク磁石１３１およびロッド磁石１１３の極は、ディスク磁石１３１とロッド磁石１１３とが互いに引き合うように構成されてもよい。この引力は、ロッド１１１の弾性力に打ち勝つために十分な強さであってよい。その結果、ロッド磁石１１３はディスク磁石に向かって動くことになる。
【０１２４】
回転可能ディスク１３０が第１の向きＲＤＡにあるとき、ロッド磁石１１３はディスク磁石１３１に向かって、ロッド１１１のさらなる移動がエンドストップ（図示せず）で止められるまで引き寄せられる。したがってディスク磁石１３１は、ロッド１１１をエンドストップに対してその第１位置ＰＲＡにて保持する（第１位置は、そのエンドストップによって決定される）。
【０１２５】
回転可能ディスク１３０が第２の向きＲＤＢにあるとき、ロッド磁石１１３はディスク磁石１３１に向かって、ロッド１１１の移動がエンドストップ（図示せず）で止められるまで引き寄せられる。したがってディスク磁石は、ロッド１１１をエンドストップに対してその第２位置ＰＲＢにて保持する（第２位置は、そのエンドストップによって決定される）。
【０１２６】
回転可能ディスク１３０が第３の向きＲＤＣにあるとき、ロッド磁石１１３は再びディスク磁石１３１に向かって引き寄せられる。ロッド１１１の動きを制限するためのエンドストップはない。したがってロッド磁石１１３は、ロッド１１１に作用する正味の力がゼロとなるまでディスク磁石１３１に向かって動く（ここで正味の力には、磁力による引力とロッド１１１の弾性力が考慮されている）。例えばｙ方向のロッド１１１の動きを制限する中間ストップ（intermediate stop）が含まれてもよい。中間ストップは、本発明の別の実施形態に含まれてもよい。
【０１２７】
回転可能ディスク１３０の第３の向きＲＤＣは、第１の向きＲＤＡと第２の向きＲＤＢ間の回転可能ディスクの移動経路上にある。同様に、ロッド１１１の第３位置ＰＲＣは、第１位置ＰＲＡと第２位置ＰＲＢの間のロッドの移動経路上にある。
【０１２８】
ロッド１１１の第３位置ＰＲＣへの移動を可能とするため、ロッドを保持するピボットは、ロッド１１１を二つの異なる方向に回転可能としてもよい。図１０を参照するとピボット１１２は、ロッドを両方向矢印で示されるように回転可能としてもよく、さらに、ロッドを図１０の平面からはずれる方向に回転可能としてもよい。
【０１２９】
図１７は、図１５に示されるリソグラフィ装置の瞳面の同じ部分を示す。区域のうちミラー１１０によって導かれる放射が横切る部分がやはり円で示されている。ロッド１１１が、図１６の回転可能ディスク１３０により決定されたとおりの位置ＰＲＡにあるとき、放射は第１区域７２４ａの部分ＰＯＡに導かれる。ロッド１１１が、図１６の回転可能ディスク１３０により決定されたとおりの位置ＰＲＢにあるとき、放射は第２区域７２４ａ′の部分ＰＯＢに導かれる。ロッド１１１が、図１６の回転可能ディスク１３０により決定されるたとおりの位置ＰＲＣにあるとき、放射は照明モードから外され、ビームダンプ１０３の部分ＢＤＣに導かれる。従って、その放射はいかなる照明モードの一部をも形成しない（使用中の照明モード（active illumination）は調整されている）。
【０１３０】
図１６に示される回転可能ディスクは、第１の向きＲＤＡから第２の向きＲＤＢへと時計回りに回転する。また一方で回転可能ディスクは、第１の向きＲＤＡから第２の向きＲＤＢへと反時計回りに回転してもよい。この場合、回転可能ディスクの第３位置（図示せず）において、図１６に示される位置と反対側にディスク磁石１３１が設けられてもよい。この結果、回転可能ディスク１３０が第３の向きにあるとき、放射は照明モードの中央に向けて導かれるだろう。放射は例えば、照明モードの中央の設けられるビームダンプ（図示しないが、図９に模式的に示される）に向けて導かれてもよい。
【０１３１】
回転可能ディスク１３０が向きＲＤＡを越えて、または向きＲＤＢを越えて回転するのを防止するため、エンドストップ（図示せず）が用いられてもよい。
【０１３２】
回転可能ディスク１３０は、モータ（図示せず）によって回転されてもよい。回転可能ディスク１３０を第３の向きＲＤＣへと動かすために、ディスクを第３の向きへと動かすために十分な時間モータにエネルギが与えられ、その後エネルギ供給が断たれてもよい。モータは、いったんモータへのエネルギが断たれた後に回転可能ディスク１３０を第３の向きに保持するために十分なほど高いギアの歯車装置（gearing）を含んでもよい。モータは例えば、ステッパモータであってもよい。
【０１３３】
図１６および図１７の説明は、互いに引力を及ぼすロッド磁石１１３とディスク磁石１３１に言及しているが、これらは互いに斥力を及ぼしてもよい。同じことが本発明の別の実施形態についても適用されてもよい。
【０１３４】
図１０および１７に関して上述したように、例えば一次反射要素２２ａのようなミラー１１０を動かすためにアクチュエータが用いられてもよい。アクチュエータは、放射を瞳面の異なる区域の三つの異なる部分ＰＯＡ、ＰＯＢ、ＰＯＣに導くように、ミラー１１０を第１、第２、第３の向きの間で動かす。場合によっては、例えば一次反射要素２２ａに関連づけられた区域に言及する図１５に示されるように、アクチュエータの第３位置によって、二次反射要素上に位置する部分ＰＯＣに放射が導かれる。ここで、二次反射要素 （瞳ファセットミラー）は、 視野ファセットミラー２２ａから受けてその瞳ファセットミラーから反射された放射が照明モードの一部を形成しないように方向づけられている。ここで照明モードは、関連づけられた一次反射要素２２ａが、第１区域７２４ａを照らす第１の向きまたは第２区域７２４ａ′を照らす第２の向きにあるときに形成される。瞳ファセットミラーは、放射をパターニングデバイスＭＡから外すよう反射してもよい（図２参照）。
【０１３５】
一次反射要素の向きを決定するアクチュエータの第３位置は、曖昧に決定されるかもしれない。これは、例えばアクチュエータの構築における許容誤差（engineering tolerances）から生じうる。その結果、アクチュエータが第３位置にあるとき、視野ファセットミラーで導かれた放射は、幾つかの異なる瞳ファセットミラーのうちの一つに導かれうる（すなわち、どの視野ファセットミラーが放射を受けるのかは知り得ないかもしれない）。
【０１３６】
放射が瞳ファセットミラーに入射する第３位置が曖昧に決定される結果、二次反射要素は、幾つかの異なる視野ファセットミラーから放射を受けるかもしれない。これが生じる場合、瞳ファセットミラーは、（例えばミラーの層の融合が引き起こされることにより）ミラーが破損されるのに十分なほど高い温度まで熱されるかもしれない。そうするとミラーを交換する必要が生じるかもしれず、望ましくない。
【０１３７】
本発明のある実施形態においては、アクチュエータが第３位置にあるとき、放射が瞳ファセットミラーに入射する位置をより正確に決定するために、キャリブレーションが用いられてもよい。本発明の実施の形態は、ステッパモータによって動力を供給されるアクチュエータに関して説明される。しかしながら、本発明が他の形態のモータを用いても実現できることは理解される。
【０１３８】
図１５を参照して、ステッパモータは、アクチュエータ（および関連づけられた視野ファセットミラー）を第１位置から第２位置へと動かすために１００ステップ要するかもしれない。第１位置は、放射を第１区域部分ＰＯＡへと導き、第２位置は放射を第２区域部分ＰＯＢへと導く位置である。キャリブレーションは、イメージセンサ（図示せず）を用いて実行されてもよい。イメージセンサは、照明システムのフィールド面に配置されてもよい。イメージセンサは例えば、リソグラフィ装置稼働中にパターニングデバイスＭＡ（図２参照）が備えられる位置に設けられてもよい。イメージセンサは、視野ファセットミラーによって瞳ファセットミラーへと導かれ、瞳ファセットミラーによってイメージセンサへと反射された放射を検出するよう構成される。イメージセンサは、フィールド面（例えばパターニングデバイスＭＡ）へと反射される放射の瞳面における強度分布を検出する。この強度分布は、（例えばパターニングデバイスＭＡの平面中または基板Ｗの平面中の）フィールド面における角度分布に対応する。
【０１３９】
ステッパモータは、第１位置から第２位置へと１００ステップで回転する。各ステップの後、瞳ファセットミラーによってイメージセンサへと反射された放射が検出される。場合によっては、瞳ファセットミラーの向きは、イメージセンサへの入射がないような向きとなりうる。しかしながら他の場合には、放射はイメージセンサへと入射する。失われたデータ点を推定するために、補間が用いられてもよい。こうしてステッパモータのステップの数（すなわちテッパモータの位置）と、視野ファセットミラーから反射された放射を受ける瞳面の区域との関係が構築されてもよい。
【０１４０】
キャリブレーションにより、ステッパモータの各ステップと、視野ファセットミラーにより反射された放射を受ける瞳面の区域とが結びつけられる。これにより、ステッパモータが第３位置をとるときに、視野ファセットミラーから放射を受ける瞳ファセットミラーをより正確に特定できる。これによりまた、所望の瞳ファセットミラーが視野ファセットミラーから放射を受けるような第３位置の選択が可能となる。
【０１４１】
ステッパモータが第１位置から第２位置へと１００ステップで回転する例では、キャリブレーションがなされていないシステムにおいて第３位置が第１位置から５０ステップとなるよう選択されてもよい。いったんキャリブレーションが実行されると、キャリブレーションの結果を用いて、４０ステップの位置が放射を所望の瞳ファセットミラーへと導くことから、４０ステップが好適なステップ数であると決定されるかもしれない。
【０１４２】
上記の実施形態は、第１位置から第３位置まで１００ステップで回転するステッパモータに関して説明されたが、発明の実施形態においては、任意の適切なステップ数のステッパモータが用いられてよい。本発明の実施の形態においては、任意の他の適切なモータまたは作動装置（actuating apparatus）が用いられてもよい。
【０１４３】
キャリブレーションにより、放射が瞳面に入射するときの第３位置をそうでない場合よりも正確に決定できる。これにより、瞳ファセットミラーを損傷するのに十分なエネルギーの放射を瞳ファセットミラーが受けないような視野ファセットミラーの向きの選択が可能となる。例えば、視野ファセットミラーの向きは、瞳ファセットミラーが二つ以上の視野ファセットミラーから放射を受けないように選択されてもよい。代替的な例では、瞳ファセットミラーは二つまでの視野ファセットミラーから放射は受けても、三つ以上の視野ファセットミラーからの放射は受けないように、視野ファセットミラーの向きが選択されてもよい。さらに別の代替的な例では、瞳ファセットミラーはある他の個数までの視野ファセットミラーからの放射は受けても、その個数以上の視野ファセットミラーからの放射は受けないように、視野ファセットミラーの向きが選択されてもよい。
【０１４４】
本発明の実施形態によると、第３位置において放射を特定の瞳ファセットミラーへ導くために用いられうるよう十分精度よく、視野ファセットミラーの向きが決定されうる。本発明の実施形態においては、精度が若干低くてもよい。例えば視野ファセットミラーの向きは、放射を特定の瞳ファセットミラーへ導くために、瞳ファセットミラープラスマイナス１個分の許容範囲をもって十分精度よく決定されてもよい（すなわち、放射は所望の瞳ファセットミラーに入射するかもしれず、または所望の瞳ファセットミラーの隣に位置する瞳ファセットミラーに入射するかもしれない）。
【０１４５】
本発明の実施形態が提供するキャリブレーションにより、キャリブレーションが実行されない場合に比べて多くの視野ファセットミラーが第３の向きに保持されうる。
【０１４６】
キャリブレーションは、自動化された方法で実行されてもよい。例えば、キャリブレーション装置は、コントローラと、イメージセンサと、メモリとを備えてもよい。コントローラは、アクチュエータを複数の位置へと動かす出力信号を提供するよう構成される。メモリは、コントローラの出力信号と、イメージセンサの出力との関係を記録するよう構成される。
【０１４７】
キャリブレーションは、複数の視野ファセットミラーについて同時に実行されてもよい。
【０１４８】
本発明のある実施形態においては、二個以上の瞳ファセットミラーの間で視野ファセットミラーから反射された放射により生じた熱を分散させるために、アクチュエータの第３位置が周期的に変調されてもよい。図１８を参照して、アクチュエータは、視野ファセットミラーが、第３区域Ｃ１へと放射を導く向き（以下、第１中間区域Ｃ１とよぶ）と、第４区域Ｃ２へと放射を導く向き（以下、第２中間区域Ｃ２とよぶ）との間で動くよう変調されてもよい。変調により、このように放射が二つの異なる瞳ファセットミラーの間を移動し、その結果、それぞれの瞳ファセットミラーに蓄積される熱量が半分になる。熱が低減されることにより、過熱に起因するミラーの損傷を防止できる。
【０１４９】
瞳ファセットミラーの熱的特性を用いて、単一の瞳ファセットミラーに放射を導いても差し支えのない最長時間を決定できる。いったん最長時間が決定されたら、最長時間に達しないために、また最長時間を越えないために十分なほど速いレートで、視野ファセットミラーが変調されてもよい。変調は、例えば毎分１回実行されてもよい。
【０１５０】
ある実施形態では、視野ファセットミラーの向きは、二つの中間位置よりもむしろ、三つの中間位置の間で変調されてもよい。例えば視野ファセットミラーの向きは、図１８に示すように三つの中間区域Ｃ１、Ｃ２、Ｃ３が照らされるように変調されてもよい。これにより、各瞳ファセットミラーに入射する熱が、変調がなされない場合に入射する熱の三分の一に低減される。変調は、任意の適切な数の瞳ファセットミラーに放射を導くために用いられてよい。
【０１５１】
変調の結果として放射を受ける瞳ファセットミラーは、それらが放射を照明モードに導かないように選択されてもよい。これは例えば、特定の視野ファセットミラーから放射を受けたときに放射を照明モードから外すよう導く瞳ファセットミラーが二つ以上隣接して存在するように、視野ファセットミラーと瞳ファセットミラーとを構成することにより実現されうる。
【０１５２】
本発明のさらなる構成（図示せず）においては、磁石を第１位置と第２位置との間で動かすためにモータが用いられてもよい。これにより、ロッド磁石が第１位置と第２位置との間で引かれる（または押される）。ロッド磁石を第１および第２位置の間の第３位置へと動かすために、モータに駆動される磁石を第１および第２位置の間の中間点へと動かすために十分な時間モータにエネルギが与えられ、その後エネルギ供給が断たれてもよい。モータは、いったんモータへのエネルギが断たれた後にモータに駆動される磁石を第３の向きに保持するのに十分なほど高いギアの歯車装置（gearing）を含んでもよい。モータと磁石とは、ロッド磁石に直線的な経路を移動させてもよく、また直線でない経路を移動させてもよい。モータは、磁石が取付られているクランクシャフトを駆動するよう構成された回転モータであってもよい。あるいはまたモータは歯を駆動する回転モータであってもよい。歯は磁石につながれている歯付きバー（ラック）を駆動する。
【０１５３】
本発明のさらなる構成（図示せず）においては、ロッドを第１位置と第２位置との間で動かすためにバイメタルモータが用いられてもよい。バイメタルモータは、ロッドの一端の近傍に設けられたバイメタル帯板（strip）と、ロッドの反対側の端の近傍に設けられたバイメタル帯板と、を備えてもよい。各バイメタル帯板は、それを通って電流が流れているときにロッドに向かって屈曲し、屈曲の度合いはロッドを流れる電流の量に依存するよう構成されてもよい。バイメタル帯板はロッドを押し、それによりロッドにピボットの周りを回転させる。このようにして、バイメタル帯板がロッドの向きを制御するために用いられてもよい。バイメタル帯板は、ロッドを第１位置と、第２位置と、そしてまた第３位置との間で動かすために用いられてもよい。第３位置は、第１位置と第２位置との間のロッドの移動経路上にある。ロッドは弾性的に付勢されていてもよい。例えば、もしいずれのバイメタル帯板もロッドを押さない場合、ロッドが第３位置へと動くように付勢されてもよい。
【０１５４】
本発明のさらなる構成（図示せず）においては、磁石を動かすためにバイメタルモータが用いられてもよい。磁石は、第１位置と第２位置との間でロッドを動かす。バイメタルモータは、一端に磁石を設けたバイメタル帯板を備えてもよい。バイメタル帯板は、バイメタル帯板に加えられる電流に反応して磁石を第１位置と第２位置との間で動かし、それによりロッド磁石を第１位置と第２位置との間で動かすよう構成されてもよい。バイメタル帯板は、磁石を（したがってロッド磁石を）ロッドの第１位置と第２位置との間の移動経路上にある第３位置へと動かすために用いられてもよい。
【０１５５】
上述の実施形態では、ステンレス鋼シート１２０に言及した。ステンレス鋼シートは、ロッド１１１およびミラー１１０
を取り囲む気体環境または真空環境に対する遮蔽壁として作用する。ステンレス鋼は、例示としてあげられている。ステンレス鋼シートは、適切な非磁性遮蔽物質のシートで置き換えられてもよい。
【０１５６】
上述の実施形態では、ミラー１１０に言及した。ミラー１１０は、反射要素の一例にすぎない。任意の適切な反射要素が使用されてもよい。
【０１５７】
上述のミラー１１０と、関連づけられたアクチュエータ１０９とは、複数の一次反射要素および複数の関連づけられたアクチュエータの一つであってもよい。アクチュエータの電気で動力が供給される部分は、筐体（例えば真空封止筐体）の中に配置されてもよい。この場合、筐体内へ送る制御信号を多重化することで、筐体内へと通過させる必要があるワイヤの数を減らしてもよい。多重分離装置は、筐体内部に設けられてもよい。多重分離装置は、多重化された制御信号を受け取り、その信号を一次反射要素制御のために用いられうる複数の信号へと変換するように構成されてもよい。
【０１５８】
上述の本発明の説明において、（例えばＥＵＶリソグラフィ装置の一部を構成する）反射照明システムに言及した。しかしながら、本発明は、屈折要素を含む照明システムに提供されてもよい。例えば本発明は、ＤＵＶリソグラフィ装置において提供されてもよい。反射光学素子に代えてまたは加えて、屈折光学素子が照明システムの瞳面に提供されてもよい。いくつかの図において直交座標系が示されている。
【０１５９】
これは図の説明を容易とするためのものであり、本発明のいかなる部分についても、特定の向きが必須であることを意図するものではない。
【０１６０】
本発明の説明された実施の形態においてはリソグラフィ装置の照明システムに言及したが、本発明の実施の形態はリソグラフィ装置の任意の適切な位置に設けられてもよい。
【０１６１】
反射要素のアレイはリソグラフィ装置の文脈の中で説明されたが、アレイは他の装置において設けられてもよい。本発明の具体的な実施の形態が上述のように説明されたが、本発明は上述の形式以外の形式でも実施可能であると理解されたい。本説明は本発明を限定することを意図するものではない。
【０１６２】
本発明の好適な特徴は本発明の全ての態様に適用可能であり、任意の組み合わせで使用可能である。
【図１】
2013503460.tif 000004
【図２ａ】
2013503460.tif 000005
【図２ｂ】
2013503460.tif 000006
【図３】
2013503460.tif 000007
【図４】
2013503460.tif 000008
【図５ａ】
2013503460.tif 000009
【図５ｂ】
2013503460.tif 000010
【図６ａ】
2013503460.tif 000011
【図６ｂ】
2013503460.tif 000012
【図７】
2013503460.tif 000013
【図８ａ−８ｅ】
2013503460.tif 000014
【図９ａ】
2013503460.tif 000015
【図９ｂ】
2013503460.tif 000016
【図１０】
2013503460.tif 000017
【図１１】
2013503460.tif 000018
【図１２】
2013503460.tif 000019
【図１３】
2013503460.tif 000020
【図１４】
2013503460.tif 000021
【図１５】
2013503460.tif 000022
【図１６】
2013503460.tif 000023
【図１７】
2013503460.tif 000024
【図１８】
2013503460.tif 000025
【国際調査報告】
2013503460.tif 000026
2013503460.tif 000027